(57)【要約】【課題】消費電力を低減することができる画像形成装置を得る。【解決手段】本発明の画像形成装置は、第１のモードおよび消費電力が低い第２のモードのうちの第１のモードにおいて、第１の画像形成装置を含む複数の画像形成装置についての情報を含む管理情報に基づいて第１のフィルタ情報および第２のフィルタ情報を生成するフィルタ情報生成部と、第１のモードにおいて第１のフィルタ情報を第１の画像形成装置に送信し、第１のモードおよび第２のモードにおいてネットワークパケットを受信する送受信部と、第２のフィルタ情報を記憶するとともに、第２のモードにおいて送受信部が受信したネットワークパケットが、第２のフィルタ情報に含まれる複数のフィルタ設定のいずれかに該当するかどうかを判定する判定部とを有する通信部と、判定部の判定結果に基づいて、第２のモードから第１のモードにモードを遷移させる電源制御部と、画像形成部とを備える。【選択図】図２
2020082546.tif 000002
【特許請求の範囲】
【請求項１】
第１のモードおよび前記第１のモードよりも消費電力が低い第２のモードのうちの前記第１のモードにおいて、第１の画像形成装置を含む複数の画像形成装置についての情報を含む管理情報に基づいて、複数のフィルタ設定を含む第１のフィルタ情報、および複数のフィルタ設定を含む第２のフィルタ情報を生成するフィルタ情報生成部と、
前記第１のモードにおいて前記第１のフィルタ情報を前記第１の画像形成装置に送信し、前記第１のモードおよび前記第２のモードにおいてネットワークパケットを受信する送受信部と、前記第２のフィルタ情報を記憶するとともに、前記第２のモードにおいて前記送受信部が受信した前記ネットワークパケットが、前記第２のフィルタ情報に含まれる前記複数のフィルタ設定のいずれかに該当するかどうかを判定する判定部とを有する通信部と、
前記判定部の判定結果に基づいて、前記第２のモードから前記第１のモードにモードを遷移させる電源制御部と、
前記第１のモードにおいて記録媒体に画像を形成し、前記第２のモードにおいて動作を停止する画像形成部と
を備えた画像形成装置。
【請求項２】
前記ネットワークパケットが前記第２のフィルタ情報に含まれる前記複数のフィルタ設定のいずれかに該当した場合において、前記ネットワークパケットが前記第１の画像形成装置に宛てたパケットである場合には、前記送受信部は、前記第１の画像形成装置に対して所定のネットワークパケットを送信する
請求項１に記載の画像形成装置。
【請求項３】
前記所定のネットワークパケットは、前記第１のフィルタ情報に含まれる前記複数のフィルタ設定のいずれかに該当するパケットである
請求項２に記載の画像形成装置。
【請求項４】
前記所定のネットワークパケットは、ＰＩＮＧ要求を行うパケットである
請求項３に記載の画像形成装置。
【請求項５】
前記送受信部が、前記第１の画像形成装置に対して送信した前記所定のネットワークパケットに対する応答パケットを受信しない場合には、前記フィルタ情報生成部は、前記第２のフィルタ情報を修正する
請求項２から請求項４のいずれか一項に記載の画像形成装置。
【請求項６】
前記ネットワークパケットが前記第２のフィルタ情報に含まれる前記複数のフィルタ設定のいずれかに該当した場合において、前記ネットワークパケットが前記画像形成装置に宛てた、画像形成を指示するパケットである場合には、前記画像形成部は、前記ネットワークパケットに基づいて前記記録媒体に画像を形成する
請求項１から請求項５のいずれか一項に記載の画像形成装置。
【請求項７】
前記管理情報は変更可能であり、
前記フィルタ情報生成部は、前記管理情報が変更された場合に、前記第２のフィルタ情報を修正する
請求項１から請求項６のいずれか一項に記載の画像形成装置。
【請求項８】
前記管理情報は、第２の画像形成装置についての情報を含み、
前記フィルタ情報生成部は、複数のフィルタ設定を含む第３のフィルタ情報をさらに生成し、
前記送受信部は、前記第１のモードにおいて前記第３のフィルタ情報を前記第２の画像形成装置に送信する
請求項１から請求項７のいずれか一項に記載の画像形成装置。
【請求項９】
前記管理情報は、前記複数の画像形成装置のそれぞれにおける画像形成頻度についての情報を含み、
前記フィルタ情報生成部は、前記画像形成頻度についての情報に基づいて、前記第１のフィルタ情報および前記第２のフィルタ情報を生成する
請求項１から請求項８のいずれか一項に記載の画像形成装置。
【請求項１０】
前記画像形成装置における前記画像形成頻度は、前記第１の画像形成装置における前記画像形成頻度よりも高く、
前記第２のフィルタ情報に含まれる前記複数のフィルタ設定は、画像形成を指示するネットワークパケットに該当するフィルタ設定を含む
請求項９に記載の画像形成装置。
【請求項１１】
第１のモードおよび前記第１のモードよりも消費電力が低い第２のモードにおいてネットワークパケットを受信するとともに、前記第１のモードにおいて第１の画像形成装置から送信された複数のフィルタ設定を含む第１のフィルタ情報を受信する送受信部と、前記第１のフィルタ情報を記憶するとともに、前記第２のモードにおいて前記送受信部が受信した前記ネットワークパケットが前記複数のフィルタ設定のいずれかに該当するかどうかを判定する判定部とを有する通信部と、
前記判定部の判定結果に基づいて、前記第２のモードから前記第１のモードにモードを遷移させる電源制御部と、
前記第１のモードにおいて記録媒体に画像を形成し、前記第２のモードにおいて動作を停止する画像形成部と
を備えた画像形成装置。
【請求項１２】
前記ネットワークパケットが前記第１のフィルタ情報に含まれる前記複数のフィルタ設定のいずれかに該当した場合において、前記ネットワークパケットが前記第１の画像形成装置に宛てたパケットである場合には、前記送受信部は、前記第１の画像形成装置に対して所定のネットワークパケットを送信する
請求項１１に記載の画像形成装置。
【請求項１３】
前記ネットワークパケットが前記第１のフィルタ情報に含まれる前記複数のフィルタ設定のいずれかに該当した場合において、前記ネットワークパケットが前記画像形成装置に宛てた、画像形成を指示するパケットである場合には、前記画像形成部は、前記ネットワークパケットに基づいて前記記録媒体に画像を形成する
請求項１１または請求項１２に記載の画像形成装置。
【発明の詳細な説明】
【技術分野】
【０００１】
本発明は、記録媒体に画像を形成する画像形成装置に関する。
【背景技術】
【０００２】
画像形成装置では、しばしば、消費電力の低減を図る省電力モードが設けられる。例えば、特許文献１には、コンピュータが要求するプロトコルに基づいて、モードを省電力モードから通常モードに切り替える画像形成装置が開示されている。
【先行技術文献】
【特許文献】
【０００３】
【特許文献１】特開２０１２−１７９７８８号公報
【発明の概要】
【発明が解決しようとする課題】
【０００４】
このような省電力モードでは、消費電力を低減することが望まれており、さらなる消費電力の低減が期待されている。
【０００５】
消費電力を低減することができる画像形成装置を提供することが望ましい。
【課題を解決するための手段】
【０００６】
本発明の一実施の形態における画像形成装置は、フィルタ情報生成部と、通信部と、電源制御部と、画像形成部とを備えている。フィルタ情報生成部は、第１のモードおよび第１のモードよりも消費電力が低い第２のモードのうちの第１のモードにおいて、第１の画像形成装置を含む複数の画像形成装置についての情報を含む管理情報に基づいて、複数のフィルタ設定を含む第１のフィルタ情報、および複数のフィルタ設定を含む第２のフィルタ情報を生成するものである。通信部は、第１のモードにおいて第１のフィルタ情報を第１の画像形成装置に送信し、第１のモードおよび第２のモードにおいてネットワークパケットを受信する送受信部と、第２のフィルタ情報を記憶するとともに、第２のモードにおいて送受信部が受信したネットワークパケットが、第２のフィルタ情報に含まれる複数のフィルタ設定のいずれかに該当するかどうかを判定する判定部とを有するものである。電源制御部は、判定部の判定結果に基づいて、第２のモードから第１のモードにモードを遷移させるものである。画像形成装置は、第１のモードにおいて記録媒体に画像を形成し、第２のモードにおいて動作を停止するものである。
【０００７】
本発明の一実施の形態における画像形成装置は、通信部と、電源制御部と、画像形成部とを備えている。通信部は、第１のモードおよび第１のモードよりも消費電力が低い第２のモードにおいてネットワークパケットを受信するとともに、第１のモードにおいて第１の画像形成装置から送信された複数のフィルタ設定を含む第１のフィルタ情報を受信する送受信部と、第１のフィルタ情報を記憶するとともに、第２のモードにおいて送受信部が受信したネットワークパケットが複数のフィルタ設定のいずれかに該当するかどうかを判定する判定部とを有するものである。電源制御部は、判定部の判定結果に基づいて、第２のモードから第１のモードにモードを遷移させるものである。画像形成部は、第１のモードにおいて記録媒体に画像を形成し、第２のモードにおいて動作を停止するものである。
【発明の効果】
【０００８】
本発明の一実施の形態における画像形成装置によれば、管理情報に基づいて、複数のフィルタ設定を含む第１のフィルタ情報、および複数のフィルタ設定を含む第２のフィルタ情報を生成し、第１のフィルタ情報を他の画像形成装置である第１の画像形成装置に送信するようにしたので、消費電力を低減することができる。
【０００９】
本発明の一実施の形態における画像形成装置によれば、他の画像形成装置である第１の画像形成装置から送信された複数のフィルタ設定を含む第１のフィルタ情報を受信するようにしたので、消費電力を低減することができる。
【図面の簡単な説明】
【００１０】
【図１Ａ】一実施の形態に係る画像形成システムの一構成例を表す説明図である。
【図１Ｂ】一実施の形態に係る画像形成システムの他の構成例を表す説明図である。
【図２】一実施の形態に係る画像形成装置の一構成例を表すブロック図である。
【図３】図２に示した画像形成装置の一動作例を表す状態遷移図である。
【図４】ネットワークスキャンによる処理結果の一例を表す表である。
【図５】管理情報の一例を表す表である。
【図６】通常モードに復帰するトリガとなるネットワークパケットの一例を表す表である。
【図７】ネットワークパケットの一例を表す説明図である。
【図８Ａ】１つの画像形成装置がネットワークに接続されている場合におけるフィルタ情報の一例を表す表である。
【図８Ｂ】１つの画像形成装置がネットワークに接続されている場合における他のフィルタ情報の一例を表す表である。
【図９】複数の画像形成装置がネットワークに接続されている場合におけるフィルタ情報の一例を表す表である。
【図１０】フィルタ設定の一例を表す説明図である。
【図１１】図２に示した画像形成装置の一動作例を表すフローチャートである。
【図１２】図２に示した画像形成装置の一動作例を表す他のフローチャートである。
【図１３】図１Ａに示した画像形成システムの一動作例を表すシーケンス図である。
【図１４】図１Ｂに示した画像形成システムの一動作例を表すシーケンス図である。
【図１５】図２に示した画像形成装置の一動作例を表す他のフローチャートである。
【図１６】図１Ａに示した画像形成システムの一動作例を表すタイミング図である。
【図１７】図１Ａに示した画像形成システムの他の動作例を表すタイミング図である。
【図１８】図１Ｂに示した画像形成システムの一動作例を表すタイミング図である。
【図１９】図１Ｂに示した画像形成システムの他の動作例を表すタイミング図である。
【図２０】図２に示した画像形成装置の一動作例を表す他のフローチャートである。
【発明を実施するための形態】
【００１１】
以下、本発明の実施の形態について、図面を参照して詳細に説明する。
【００１２】
＜実施の形態＞
［構成例］
図１Ａ，１Ｂは、本発明の一実施の形態に係る画像形成装置（画像形成装置１０）を備えた画像形成システム１の一構成例を表すものである。図１Ａに示した画像形成システム１（画像形成システム１Ａ）は、情報処理装置８と、無線ＬＡＮ（Local Area Network）ルータ９と、１つの画像形成装置１０（画像形成装置１０Ａ）とを備えている。図１Ｂに示した画像形成システム１（画像形成システム１Ｂ）は、情報処理装置８と、無線ＬＡＮ（Local Area Network）ルータ９と、２つの画像形成装置１０（画像形成装置１０Ａ，１０Ｂ）とを備えている。例えば、画像形成装置１０Ｂの電源がオフ状態である場合には、画像形成システム１は、１つの画像形成装置１０Ａがネットワークに接続されることにより、画像形成システム１Ａ（図１Ａ）として動作する。また、例えば、画像形成装置１０Ｂの電源がオン状態である場合には、画像形成システム１は、２つの画像形成装置１０Ａ，１０Ｂがネットワークに接続されることにより、画像形成システム１Ｂ（図１Ｂ）として動作する。この画像形成システム１において、情報処理装置８および画像形成装置１０は、無線ＬＡＮルータ９との間で、無線ＬＡＮを用いて無線通信Ｗを行うように構成される。この無線通信Ｗでは、ネットワークパケットＰを用いて、データや制御情報などの様々な情報が送受信されるようになっている。
【００１３】
情報処理装置８は、例えば、パーソナルコンピュータである。この情報処理装置８には、例えばワードプロセッサソフトウェアなどのアプリケーションソフトウェアや、プリンタドライバがインストールされている。そして、情報処理装置８は、例えば、ユーザによる印刷指示に基づいて、プリンタドライバを用いて印刷データＤＰを生成し、生成した印刷データＤＰを、無線ＬＡＮルータ９を介して画像形成装置１０に送信するようになっている。
【００１４】
無線ＬＡＮルータ９は、無線ＬＡＮを用いて、情報処理装置８、および１または複数の画像形成装置１０との間で無線通信Ｗを行うように構成される。
【００１５】
画像形成装置１０は、例えば、情報処理装置８から無線ＬＡＮルータ９を介して送信された印刷データＤＰに基づいて、記録媒体に画像を形成するように構成される。この例では、画像形成装置１０ＡのＭＡＣ（Media Access Control）アドレスは“００：８０：８７：００：００：０１”であり、画像形成装置１０ＢのＭＡＣアドレスは“００：８０：８７：０１：００：０２”である。
【００１６】
画像形成装置１０は、２つの電源モードＭ（通常モードＭ１および省電力モードＭ２）を有している。通常モードＭ１は、画像形成動作を行うことができるモードである。省電力モードＭ２は、待機するモードであり、消費電力を低減可能なモードである。画像形成装置１０は、通常モードＭ１において、画像形成動作を行わない状態が所定の長さの時間にわたり継続した場合に、電源モードＭを通常モードＭ１から省電力モードＭ２に遷移させる。また、画像形成装置１０は、省電力モードＭ２において、受信したネットワークパケットＰがフィルタ情報ＩＮＦに含まれる複数のフィルタ設定ＦＩＬのうちのいずれかに該当するかどうかを判定し、ネットワークパケットＰが複数のフィルタ設定ＦＩＬのうちのいずれかに該当した場合に、電源モードＭを省電力モードＭ２から通常モードＭ１に遷移させることにより、通常モードＭ１に復帰するようになっている。
【００１７】
例えば、画像形成システム１Ａ（図１Ａ）では、画像形成装置１０Ａは、その画像形成装置１０Ａで用いるべき複数のフィルタ情報ＩＮＦ（この例ではフィルタ情報Ａ１，Ｂ１）を生成し、その複数のフィルタ情報ＩＮＦに基づいて、ネットワークパケットＰがその複数のフィルタ情報ＩＮＦに含まれる複数のフィルタ設定ＦＩＬのうちのいずれかに該当するかどうかを判定する。
【００１８】
また、画像形成システム１Ｂ（図１Ｂ）では、２つの画像形成装置１０のうちの１つ（この例では画像形成装置１０Ａ）がマスタとして動作し、マスタとして動作する画像形成装置１０以外の画像形成装置１０（この例では画像形成装置１０Ｂ）がスレーブとして動作する。マスタとして動作する画像形成装置１０Ａは、その画像形成装置１０Ａで用いるべきフィルタ情報ＩＮＦ（この例ではフィルタ情報Ａ２）と、スレーブとして動作する画像形成装置１０Ｂで用いるべきフィルタ情報ＩＮＦ（この例ではフィルタ情報Ｂ２）とを生成する。そして、マスタとして動作する画像形成装置１０Ａは、その画像形成装置１０Ａで用いるべきフィルタ情報Ａ２に基づいて、ネットワークパケットＰがそのフィルタ情報Ａ２に含まれる複数のフィルタ設定ＦＩＬのうちのいずれかに該当するかどうかを判定する。また、スレーブとして動作する画像形成装置１０Ｂは、その画像形成装置１０Ｂで用いるべきフィルタ情報Ｂ２に基づいて、ネットワークパケットＰがフィルタ情報Ｂ２に含まれる複数のフィルタ設定ＦＩＬのうちのいずれかに該当するかどうかを判定するようになっている。
【００１９】
図２は、画像形成装置１０の一構成例を表すものである。画像形成装置１０は、電源部１１と、無線通信部２０と、制御部３０と、画像形成部１２とを備えている。電源部１１、無線通信部２０、および制御部３０は、例えば半導体回路を用いて構成される。
【００２０】
電源部１１は、例えば商用電源などの交流電源ＡＣから供給された交流電力に基づいて、画像形成装置１０の各ブロックで使用される電源電力を生成するように構成される。電源部１１は、メイン電源部１１Ｍと、サブ電源部１１Ｓとを有している。
【００２１】
メイン電源部１１Ｍは、通常モードＭ１において、電源電力ＰＭを生成し、生成した電源電力ＰＭを制御部３０および画像形成部１２に供給するように構成される。また、メイン電源部１１Ｍは、省電力モードＭ２において、電源電力ＰＭを生成しないように構成される。メイン電源部１１Ｍは、制御部３０から供給された電源制御信号ＣＴＬに基づいて、電源電力ＰＭの生成し、あるいは電源電力ＰＭの生成を停止するようになっている。
【００２２】
サブ電源部１１Ｓは、通常モードＭ１および省電力モードＭ２の両方において、電源電力ＰＳを生成し、生成した電源電力ＰＳを無線通信部２０および制御部３０内の一部のブロック（後述する電源制御部３１および判定制御部３２）に供給するように構成される。すなわち、無線通信部２０、電源制御部３１、および判定制御部３２は、電源電力ＰＳが常時供給されるようになっている。
【００２３】
無線通信部２０は、例えば無線ＬＡＮチップを用いて構成される。無線通信部２０は、通常モードＭ１および省電力モードＭ２の両方において、供給された電源電力ＰＳに基づいて動作を行うように構成される。無線通信部２０は、送受信部２１と、判定部２２とを有している。
【００２４】
送受信部２１は、無線ＬＡＮを用いて無線通信Ｗを行うように構成される。具体的には、送受信部２１は、無線通信Ｗによって受信したネットワークパケットＰを判定部２２に供給する。また、送受信部２１は、通常モードＭ１において、受信したネットワークパケットＰをデータインタフェースＤＩを介して制御部３０に供給する。また、送受信部２１は、通常モードＭ１において、制御部３０からデータインタフェースＤＩを介して供給されたネットワークパケットＰを無線通信Ｗにより送信するようになっている。
【００２５】
判定部２２は、省電力モードＭ２において、送受信部２１から供給されたネットワークパケットＰに基づいて判定動作を行うように構成される。判定部２２は、記憶部２３を有している。記憶部２３は、フィルタ情報ＩＮＦを記憶している。フィルタ情報ＩＮＦは、複数のフィルタ設定ＦＩＬを含んでいる。フィルタ情報ＩＮＦは、この例では最大で８つのフィルタ設定ＦＩＬを含むことができる。このフィルタ情報ＩＮＦについては、後ほど詳細に説明する。
【００２６】
この判定部２２は、省電力モードＭ２において、制御部３０から、制御インタフェースＣＩを介して供給された指示に基づいて、判定動作を行う。この判定動作において、判定部２２は、送受信部２１が受信したネットワークパケットＰが、記憶部２３に記憶された複数のフィルタ設定ＦＩＬのうちのいずれかに該当するかどうかを判定する。そして、判定部２２は、省電力モードＭ２において、このネットワークパケットＰが、複数のフィルタ設定ＦＩＬのうちのいずれかに該当する場合に、割込信号ＳＩＧを生成し、生成した割込信号ＳＩＧを制御インタフェースＣＩを介して制御部３０に供給する。これにより、画像形成装置１０では、この割込信号ＳＩＧに基づいて、電源モードＭを省電力モードＭ２から通常モードＭ１に遷移させるようになっている。
【００２７】
制御部３０は、画像形成装置１０の全体動作を制御するように構成される。制御部３０は、例えば、ＣＰＵ（Central Processing Unit）、ＲＡＭ（Random Access Memory）、ＲＯＭ（Read Only Memory）などを用いて構成される。制御部３０は、電源制御部３１と、判定制御部３２と、パケット送受信部３３と、画像形成制御部３４とを有している。電源制御部３１および判定制御部３２は、通常モードＭ１および省電力モードＭ２の両方において、供給された電源電力ＰＳに基づいて動作を行うように構成される。パケット送受信部３３および画像形成制御部３４は、通常モードＭ１において、供給された電源電力ＰＭに基づいて動作を行い、省電力モードＭ２において動作を停止するように構成される。
【００２８】
電源制御部３１は、画像形成装置１０における電源モードＭを制御するように構成される。
【００２９】
図３は、画像形成装置１０における電源モードＭの遷移を表すものである。ユーザが電源投入操作を行った場合には、電源制御部３１は、電源モードＭを通常モードＭ１に設定する。そして、電源制御部３１は、電源モードＭが通常モードＭ１である場合において、画像形成動作を行わない状態が所定の長さの時間にわたり継続した場合には、電源モードＭを通常モードＭ１から省電力モードＭ２に遷移させる。また、電源制御部３１は、電源モードＭが省電力モードＭ２である場合において、判定部２２から割込信号ＳＩＧが供給された場合には、電源モードＭを省電力モードＭ２から通常モードＭ１に遷移させる。また、電源モードＭが通常モードＭ１や省電力モードＭ２である場合において、ユーザが電源オフ操作を行った場合には、画像形成装置１０は動作を停止する。
【００３０】
また、電源制御部３１は、メイン電源部１１Ｍに対して電源制御信号ＣＴＬを供給することにより、通常モードＭ１ではメイン電源部１１Ｍに電源電力ＰＭを生成させ、省電力モードＭ２ではメイン電源部１１Ｍに電源電力ＰＭの生成を停止させるようになっている。
【００３１】
判定制御部３２は、制御インタフェースＣＩを介して、無線通信部２０における判定部２２の動作を制御するように構成される。判定制御部３２は、管理情報ＭＮＧを記憶している。管理情報ＭＮＧは、画像形成システム１に含まれる１または複数の画像形成装置１０についての情報を含んでいる。すなわち、画像形成システム１Ａ（図１Ａ）では、画像形成装置１０Ａの判定制御部３２が記憶する管理情報ＭＮＧは、画像形成装置１０Ａについての情報を含む。画像形成システム１Ｂ（図１Ｂ）では、画像形成装置１０Ａの判定制御部３２が記憶する管理情報ＭＮＧは、画像形成装置１０Ａ，１０Ｂについての情報を含み、画像形成装置１０Ｂの判定制御部３２が記憶する管理情報ＭＮＧは、画像形成装置１０Ａ，１０Ｂについての情報を含む。判定制御部３２は、例えば、ネットワークスキャンを行うことにより、この管理情報ＭＮＧを更新する。
【００３２】
図４は、２つの画像形成装置１０Ａ，１０Ｂがネットワークに接続された画像形成システム１Ｂ（図１Ｂ）において、ネットワークスキャンにより得られた情報の一例を表すものである。この例では、画像形成装置１０Ａ，１０Ｂを含む４つの装置がネットワークに接続されている。この例では、“Printer_MODEL-A-0001”は、画像形成装置１０Ａの装置名である。この装置名に含まれる“ＭＯＤＥＬ−Ａ”は、画像形成装置１０Ａのモデル名であり、“０００１”は、画像形成装置１０ＡのＭＡＣアドレスの最下位から２オクテット分の値である。“Printer_MODEL-B-0002”は、画像形成装置１０Ｂの装置名である。この装置名に含まれる“ＭＯＤＥＬ−Ｂ”は、画像形成装置１０Ｂのモデル名であり、“０００２”は、画像形成装置１０ＢのＭＡＣアドレスの最下位から２オクテット分の値である。
【００３３】
画像形成装置１０は、ネットワークスキャンにより、ネットワークに接続された装置の装置名、ＩＰアドレス、およびＭＡＣアドレスを取得する。そして、画像形成装置１０は、例えば、装置名やＭＡＣアドレスに基づいて、検出された装置が画像形成装置（プリンタ）であるかどうかを判断する。そして、画像形成装置１０は、検出された装置が画像形成装置（プリンタ）である場合において、装置名やＭＡＣアドレスに基づいて、検出された画像形成装置１０（この例では画像形成装置１０Ａ，１０Ｂ）のメーカ名についての情報を取得する。すなわち、ＭＡＣアドレスは、ベンダ識別子についての情報を含んでいるので、画像形成装置１０は、例えばこのベンダ識別子に基づいて、検出された画像形成装置１０のメーカ名についての情報を取得することができる。また、画像形成装置１０は、例えば、装置名やＭＡＣアドレスに基づいて、検出された画像形成装置１０のモデル名についての情報を取得する。すなわち、ＭＡＣアドレスは、画像形成装置１０のモデル識別子についての情報を含んでいるので、画像形成装置１０は、例えば、このモデル識別子についての情報に基づいて、検出された画像形成装置１０のモデル名についての情報を取得することができる。また、画像形成装置１０は、例えば、検出された画像形成装置１０に対してネットワークパケットＰを用いて問い合わせを行うことにより、マスタフラグＭＦおよびスレーブフラグＳＦを取得する。マスタフラグＭＦは、検出された画像形成装置１０がマスタとして動作するかどうかを表すフラグであり、スレーブフラグＳＦは、検出された画像形成装置１０がスレーブとして動作するかどうかを表すフラグである。例えば、検出された画像形成装置１０のマスタフラグＭＦは、その画像形成装置１０がマスタで動作する場合に“１”に設定され、その画像形成装置１０がマスタで動作しない場合に“０”に設定される。同様に、検出された画像形成装置１０のスレーブフラグＳＦは、その画像形成装置１０がスレーブで動作する場合に“１”に設定され、その画像形成装置１０がスレーブで動作しない場合に“０”に設定される。また、画像形成装置１０は、例えば、検出された画像形成装置１０に対してネットワークパケットＰを用いて問い合わせを行うことにより、その画像形成装置１０の印刷頻度についての情報を取得する。この例では、印刷頻度を、１カ月におけるジョブ数で示している。
【００３４】
画像形成装置１０の判定制御部３２は、このようにして取得した情報に基づいて管理情報ＭＮＧを更新する。
【００３５】
図５は、管理情報ＭＮＧの一例を表すものである。管理情報ＭＮＧは、この例では、ネットワークに接続された画像形成装置１０Ａ，１０Ｂについての、装置名、ＩＰアドレス、ＭＡＣアドレス、マスタフラグＭＦ、スレーブフラグＳＦ、および印刷頻度についての情報を含んでいる。判定制御部３２は、この管理情報ＭＮＧに基づいて、動作を行うようになっている。
【００３６】
具体的には、例えば、この管理情報ＭＮＧに基づいて、ネットワークに接続された画像形成装置１０が１つである場合には、判定モードＮを判定モードＮ１に設定し、ネットワークに接続された画像形成装置１０が複数である場合には、判定モードＮを判定モードＮ２に設定する。
【００３７】
例えば、画像形成システム１Ａ（図１Ａ）では、画像形成装置１０Ａの判定制御部３２は、判定モードＮを判定モードＮ１に設定する。判定モードＮ１では、画像形成装置１０Ａの判定制御部３２は、その画像形成装置１０Ａで用いるべき複数のフィルタ情報ＩＮＦ（この例では２つのフィルタ情報Ａ１，Ｂ１）を生成する。そして、判定制御部３２は、省電力モードＭ２において、所定の時間Ｔが経過する度に、制御インタフェースＣＩを介して判定部２２に２つのフィルタ情報Ａ１，Ｂ１のうちの１つを供給することにより、判定部２２の記憶部２３に記憶されたフィルタ情報ＩＮＦを繰り返し書き換える。すなわち、所定の時間Ｔは、フィルタ情報ＩＮＦの書き換え周期である。判定制御部３２は、パケット送受信部３３から供給された再送信間隔Ｔ１（後述）についての情報に基づいて、所定の時間Ｔをこの再送信間隔Ｔ１と同程度の時間に設定するようになっている。
【００３８】
上述したように、この例では、記憶部２３に記憶可能なフィルタ設定ＦＩＬの数は８つに制限されている。よって、画像形成装置１０では、このように、フィルタ情報ＩＮＦを繰り返し書き換えることにより、判定動作で使用するフィルタ設定ＦＩＬの数の制限を緩和することができる。
【００３９】
また、例えば、画像形成システム１Ｂ（図１Ｂ）では、２つの画像形成装置１０Ａ，１０Ｂの判定制御部３２は、判定モードＮを判定モードＮ２に設定する。判定モードＮ２では、画像形成装置１０Ａ，１０Ｂのうちの１つ（この例では画像形成装置１０Ａ）がマスタとして動作し、他方（この例では画像形成装置１０Ｂ）がスレーブとして動作する。マスタとして動作する画像形成装置１０Ａの判定制御部３２は、その画像形成装置１０Ａで用いるべきフィルタ情報ＩＮＦ（この例ではフィルタ情報Ａ２）と、スレーブとして動作する画像形成装置１０Ｂで用いるべきフィルタ情報ＩＮＦ（この例ではフィルタ情報Ｂ２）とを生成する。そして、判定制御部３２は、その画像形成装置１０Ａで用いるべきフィルタ情報Ａ２を、制御インタフェースＣＩを介して判定部２２に供給することにより、判定部２２の記憶部２３にフィルタ情報ＩＮＦを書き込む。また、判定制御部３２は、スレーブとして動作する画像形成装置１０Ｂで用いるべきフィルタ情報Ｂ２を、パケット送受信部３３に供給することにより、このフィルタ情報Ｂ２をこの画像形成装置１０Ｂに送信させる。スレーブとして動作する画像形成装置１０Ｂの判定制御部３２は、マスタとして動作する画像形成装置１０Ａから送信されたフィルタ情報Ｂ２を、パケット送受信部３３から受け取り、このフィルタ情報Ｂ２を、制御インタフェースＣＩを介して判定部２２に供給することにより、判定部２２の記憶部２３にフィルタ情報ＩＮＦを書き込むようになっている。
【００４０】
パケット送受信部３３は、通常モードＭ１において、無線通信部２０の送受信部２１との間で、データインタフェースＤＩを介してネットワークパケットＰのやりとりを行うように構成される。具体的には、通常モードＭ１において、パケット送受信部３３は、送受信部２１からデータインタフェースＤＩを介して供給されたネットワークパケットＰを受け取る。そして、パケット送受信部３３は、例えば、受け取ったネットワークパケットＰに基づいて印刷データＤＰを取得し、取得した印刷データＤＰを画像形成制御部３４に供給する。また、パケット送受信部３３は、送信すべきネットワークパケットＰを生成して、生成したネットワークパケットＰをデータインタフェースＤＩを介して送受信部２１に供給するようになっている。
【００４１】
また、パケット送受信部３３は、通常モードＭ１において、例えば電源投入直後や、間欠的に設定された所定の期間において、プロトコルがＴＣＰ（Transmission Control Protocol）であるネットワークパケットＰを受け取った場合に、意図的に応答せずに、そのネットワークパケットＰを再送信させ、１つ目のネットワークパケットＰと再送信された２つ目のネットワークパケットＰとの間の時間間隔（再送信間隔Ｔ１）を検出する機能をも有している。そして、パケット送受信部３３は、この再送信間隔Ｔ１についての情報を判定制御部３２に供給するようになっている。
【００４２】
画像形成制御部３４は、通常モードＭ１において、パケット送受信部３３から供給された印刷データＤＰに基づいて、所定の画像処理を行うとともに、この画像処理結果に基づいて画像形成部１２の動作を制御するように構成される。
【００４３】
画像形成部１２は、通常モードＭ１において、画像形成制御部３４からの指示に基づいて、記録媒体に画像を形成するように構成される。画像形成部１２は、例えば、記録媒体を搬送する機構や、記録媒体に現像剤像を形成する機構や、記録媒体上の現像剤像を記録媒体に定着させる機構を含む。画像形成部１２は、通常モードＭ１において、供給された電源電力ＰＭに基づいて動作を行い、省電力モードＭ２において動作を停止するようになっている。
【００４４】
（複数のフィルタ設定ＦＩＬについて）
画像形成装置１０では、判定部２２は、受信したネットワークパケットＰが、フィルタ情報ＩＮＦに含まれる複数のフィルタ設定ＦＩＬのうちのいずれかに該当するかどうかを判定する。以下に、複数のフィルタ設定ＦＩＬについて詳細に説明する。
【００４５】
図６は、画像形成装置１０が受信したときに、電源モードＭが省電力モードＭ２から通常モードＭ１に遷移すべきネットワークパケットＰの一覧を表すものである。この例では、画像形成装置１０が、１１種別（ＩＣＭＰ、Ｂｏｎｊｏｕｒ、ＳＮＭＰ、ＮＢＴ、ＤＨＣＰ、ＨＴＴＰ、ＨＴＴＰＳ、ＦＴＰ、Ｔｅｌｎｅｔ、ＬＰＲ、ＲＡＷ）のネットワークパケットＰのうちのいずれかを受信したときに、電源モードＭが省電力モードＭ２から通常モードＭ１に遷移することが望まれる。すなわち、これらの１１種別のネットワークパケットＰは、画像形成装置１０が通常モードＭ１に復帰するトリガとなるパケットである。ここで、ＩＣＭＰはInternet Control Message Protocolであり、ＳＮＭＰはSimple Network Management Protocolであり、ＮＢＴはNetBIOS over TCP/IPであり、ＤＨＣＰはDynamic Host Configuration Protocolであり、ＨＴＴＰはHypertext Transfer Protocolであり、ＨＴＴＰＳはHypertext Transfer Protocol Secureであり、ＦＴＰはFile Transfer Protocolであり、ＬＰＲはline printer daemon protocolであり、ＵＤＰはUser Datagram Protocolであり、ｍＤＮＳはMulticast DNS（Domain Name System）である。
【００４６】
判定部２２は、フィルタ設定ＦＩＬを用いて、送受信部２１が受信したネットワークパケットＰが、これらの１１種別のネットワークパケットＰのうちのいずれかであるかどうかを判定する。フィルタ設定ＦＩＬは、図６に示したように、宛先ＭＡＣアドレス（Ｄｓｔ＿ＭＡＣ）、レイヤー２プロトコルタイプ（Ｔｙｐｅ）、レイヤー３プロトコルタイプ（Ｐｒｏｔ）、および宛先ポート番号（Ｄｓｔ＿Ｐｏｒｔ）についての情報を含む。
【００４７】
ＬＰＲを例に挙げて説明する。一般に、画像形成装置は、例えば省電力モードで動作を行っていた場合でも、その画像形成装置に対する印刷要求に応答することが望まれる。よって、ＬＰＲを用いて印刷要求を行うネットワークパケットＰは、通常モードＭ１に復帰するトリガとなるパケットである。
【００４８】
図７は、画像形成装置１０Ａが受信した、ＬＰＲを用いて印刷要求を行うネットワークパケットＰの一例を表すものである。この図７では、データは１６進数を用いて表されている。このネットワークパケットＰは、宛先ＭＡＣアドレス（Ｄｓｔ＿ＭＡＣ）、レイヤー２プロトコルタイプ（Ｔｙｐｅ）、レイヤー３プロトコルタイプ（Ｐｒｏｔ）、および宛先ポート番号（Ｄｓｔ＿Ｐｏｒｔ）についての情報を含む。宛先ＭＡＣアドレス（Ｄｓｔ＿ＭＡＣ）は、この例では“００：８０：８７：００：００：０１”に設定されている。すなわち、このネットワークパケットＰは、この画像形成装置１０Ａを宛先として設定して送信されたパケットである。言い換えれば、このネットワークパケットＰの送信は、いわゆるユニキャストである。レイヤー２プロトコルタイプ（Ｔｙｐｅ）は、この例では“８０００”に設定されている。すなわち、レイヤー２プロトコルタイプはＩＰ（０ｘ８０００）である。レイヤー３プロトコルタイプ（Ｐｒｏｔ）は、この例では“０６”に設定されている。すなわち、レイヤー３プロトコルタイプはＴＣＰ（６）である。宛先ポート番号（Ｄｓｔ＿Ｐｏｒｔ）は、この例では“０２０３”に設定されている。すなわち、宛先ポート番号はＬＰＲ（５１５）である。
【００４９】
画像形成装置１０の判定部２２は、受信したネットワークパケットＰに含まれる宛先ＭＡＣアドレス（Ｄｓｔ＿ＭＡＣ）が画像形成装置１０のＭＡＣアドレスであり、レイヤー２プロトコルタイプ（Ｔｙｐｅ）がＩＰであり、レイヤー３プロトコルタイプ（Ｐｒｏｔ）がＴＣＰであり、宛先ポート番号（Ｄｓｔ＿Ｐｏｒｔ）が５１５であることを確認することにより、そのネットワークパケットＰがその画像形成装置１０に対するＬＰＲを用いた印刷要求であると判定することができる。
【００５０】
次に、ＩＣＭＰを例に挙げて説明する。一般に、ネットワークに接続されたデバイスは、例えば省電力モードで動作を行っていた場合でも、そのデバイスに対するＰＩＮＧ要求に応答する必要がある。よって、ＩＣＭＰを用いてＰＩＮＧ要求を行うネットワークパケットＰは、通常モードＭ１に復帰するトリガとなるパケットである。画像形成装置１０の判定部２２は、受信したネットワークパケットＰに含まれる宛先ＭＡＣアドレス（Ｄｓｔ＿ＭＡＣ）が画像形成装置１０のＭＡＣアドレスであり、レイヤー２プロトコルタイプ（Ｔｙｐｅ）がＩＰであり、レイヤー３プロトコルタイプ（Ｐｒｏｔ）がＩＣＭＰであることを確認することにより、そのネットワークパケットＰがその画像形成装置１０に対するＰＩＮＧ要求であると判定することができる。
【００５１】
図６に示したように、判定部２２が判定すべきネットワークパケットＰは１１種別である。一方、記憶部２３に記憶可能なフィルタ設定ＦＩＬの数は８つに制限されている。そこで、画像形成システム１では、１１個のフィルタ設定ＦＩＬを含む複数のフィルタ情報ＩＮＦを生成し、これらの複数のフィルタ情報ＩＮＦを用いて、受信したネットワークパケットＰが、１１個のフィルタ設定ＦＩＬのうちのいずれかに該当するかどうかを判定する。
【００５２】
（画像形成システム１Ａ）
１つの画像形成装置１０Ａを有する画像形成システム１Ａ（図１Ａ）では、画像形成装置１０Ａの判定制御部３２は、判定モードＮを判定モードＮ１に設定する。この判定モードＮ１では、画像形成装置１０Ａの判定制御部３２は、管理情報ＭＮＧに基づいて２つのフィルタ情報Ａ１，Ｂ１を生成し、所定の時間Ｔが経過する度に、これらの２つのフィルタ情報Ａ１およびフィルタ情報Ｂ１を、記憶部２３に交互に繰り返しフィルタ情報ＩＮＦとして書き込む。
【００５３】
図８Ａは、フィルタ情報Ａ１の一例を表すものであり、図８Ｂは、フィルタ情報Ｂ１の一例を表すものである。図６において、“○”で示したように、フィルタ情報Ａ１は、ＩＣＭＰ、Ｂｏｎｊｏｕｒ、ＳＮＭＰ、ＮＢＴ、ＤＨＣＰ、ＨＴＴＰ、ＨＴＴＰＳ、ＦＴＰについての８つのフィルタ設定ＦＩＬを含み、フィルタ情報Ｂ１は、ＩＣＭＰ、Ｂｏｎｊｏｕｒ、ＳＮＭＰ、ＮＢＴ、ＤＨＣＰ、Ｔｅｌｎｅｔ、ＬＰＲ、ＲＡＷについての８つのフィルタ設定ＦＩＬを含む。
【００５４】
ＩＣＭＰ、Ｂｏｎｊｏｕｒ、ＳＮＭＰ、ＮＢＴ、ＤＨＣＰについての５つのフィルタ設定ＦＩＬは、フィルタ情報Ａ１，Ｂ１の両方に含まれる。すなわち、これらのネットワークパケットＰのレイヤー３プロトコルタイプ（Ｐｒｏｔ）は、ＩＣＭＰまたはＵＤＰであり、再送信が行われないプロトコルであるため、画像形成装置１０Ａは、仮に、これらの種別のネットワークパケットＰの受信に失敗した場合には、再び同じネットワークパケットＰを受信することはできない。よって、画像形成装置１０Ａでは、フィルタ情報Ａ１，Ｂ１の両方がこれらの５つのフィルタ設定ＦＩＬを含むようにしている。
【００５５】
一方、ＨＴＴＰ、ＨＴＴＰＳ、ＦＴＰについての３つのフィルタ設定ＦＩＬは、フィルタ情報Ａ１にのみ含まれる。すなわち、これらのネットワークパケットＰのレイヤー３プロトコルタイプ（Ｐｒｏｔ）は、ＴＣＰであり、再送信が行われるプロトコルであるため、画像形成装置１０Ａは、仮に、これらの種別のネットワークパケットＰの受信に失敗しても、再送信されたネットワークパケットＰを受信することができる。よって、画像形成装置１０Ａでは、フィルタ情報Ａ１のみが、これらの３つのフィルタ設定ＦＩＬを含むようにしている。
【００５６】
同様に、Ｔｅｌｎｅｔ、ＬＰＲ、ＲＡＷについての３つのフィルタ設定ＦＩＬは、フィルタ情報Ｂ１にのみ含まれる。すなわち、これらは再送信が行われるプロトコルであるため、画像形成装置１０Ａは、仮に、これらの種別のネットワークパケットＰの受信に失敗しても、再送信されたネットワークパケットＰを受信することができる。よって、画像形成装置１０Ａでは、フィルタ情報Ｂ１のみが、これらの３つのフィルタ設定ＦＩＬを含むようにしている。
【００５７】
画像形成システム１Ａでは、画像形成装置１０Ａの判定制御部３２が、所定の時間Ｔが経過する度に、これらの２つのフィルタ情報Ａ１およびフィルタ情報Ｂ１を、記憶部２３に交互に繰り返しフィルタ情報ＩＮＦとして書き込む。これにより、画像形成装置１０Ａは、省電力モードＭ２において、図６に示した１１種別のネットワークパケットＰのうちのいずれかを受信したときに、通常モードＭ１に復帰することができるようになっている。
【００５８】
（画像形成システム１Ｂ）
２つの画像形成装置１０Ａ，１０Ｂを有する画像形成システム１Ｂでは、画像形成装置１０Ａ，１０Ｂの判定制御部３２は、判定モードＮを判定モードＮ２に設定する。この判定モードＮ２では、マスタとして動作する画像形成装置１０（この例では画像形成装置１０Ａ）の判定制御部３２が、管理情報ＭＮＧに基づいて２つのフィルタ情報Ａ２，Ｂ２を生成する。フィルタ情報Ａ２は、マスタとして動作する画像形成装置１０Ａで用いるべきフィルタ情報ＩＮＦであり、フィルタ情報Ｂ２は、スレーブとして動作する画像形成装置１０（この例では画像形成装置１０Ｂ）で用いるべきフィルタ情報ＩＮＦである。画像形成装置１０Ａは、フィルタ情報Ａ２を画像形成装置１０Ａの記憶部２３にフィルタ情報ＩＮＦとして書き込む。また、画像形成装置１０Ａは、フィルタ情報Ｂ２を画像形成装置１０Ｂに送信し、画像形成装置１０Ｂの判定制御部３２は、このフィルタ情報Ｂ２を画像形成装置１０Ｂの記憶部２３にフィルタ情報ＩＮＦとして書き込む。
【００５９】
図９は、フィルタ情報Ａ２，Ｂ２の一例を表すものである。図９において“○”で示したように、フィルタ情報Ａ２は、この例ではフィルタ情報Ａ１（図６，８Ａ）と同様の構成であり、ＩＣＭＰ、Ｂｏｎｊｏｕｒ、ＳＮＭＰ、ＮＢＴ、ＤＨＣＰ、ＨＴＴＰ、ＨＴＴＰＳ、ＦＴＰについての８つのフィルタ設定ＦＩＬを含む。同様に、フィルタ情報Ｂ２は、この例ではフィルタ情報Ｂ１（図６，８Ｂ）と同様の構成であり、ＩＣＭＰ、Ｂｏｎｊｏｕｒ、ＳＮＭＰ、ＮＢＴ、ＤＨＣＰ、Ｔｅｌｎｅｔ、ＬＰＲ、ＲＡＷについての８つのフィルタ設定ＦＩＬを含む。なお、これに限定されるものではなく、例えば、フィルタ情報Ａ２はフィルタ情報Ａ１と異なる構成であってもよいし、フィルタ情報Ｂ２はフィルタ情報Ｂ１と異なる構成であってもよい。
【００６０】
フィルタ情報Ａ２では、ＨＴＴＰ、ＨＴＴＰＳ、ＦＴＰについての３つのフィルタ設定ＦＩＬにおける宛先ＭＡＣアドレス（Ｄｓｔ＿ＭＡＣ）についての設定は、画像形成装置１０Ａ，１０Ｂの両方のＭＡＣアドレスが該当するように緩和されている。同様に、フィルタ情報Ｂ２では、Ｔｅｌｎｅｔ、ＬＰＲ、ＲＡＷについての３つのフィルタ設定ＦＩＬにおける宛先ＭＡＣアドレス（Ｄｓｔ＿ＭＡＣ）についての設定は、画像形成装置１０Ａ，１０Ｂの両方のＭＡＣアドレスが該当するように緩和されている。
【００６１】
図１０は、宛先ＭＡＣアドレス（Ｄｓｔ＿ＭＡＣ）についての設定の一例を表すものであり、（Ａ）は画像形成装置１０ＡのＭＡＣアドレスを示し、（Ｂ）は画像形成装置１０ＢのＭＡＣアドレスを示し、（Ｃ）は宛先ＭＡＣアドレス（Ｄｓｔ＿ＭＡＣ）についての設定の一例を示す。この例では、画像形成装置１０ＡのＭＡＣアドレスは“００：８０：８７：００：００：０１”であり、画像形成装置１０ＢのＭＡＣアドレスは“００：８０：８７：０１：００：０２”である。よって、画像形成装置１０Ａ，１０ＢのＭＡＣアドレスは、最下位のオクテットの一部（部分Ｗ１）における値と、最下位から３番目のオクテットの一部（部分Ｗ２）における値が異なっている。よって、この例では、図１０（Ｃ）に示したように、部分Ｗ１，Ｗ２において、フィルタリングを行わないように設定する。ここで“Ｘ”は、いわゆる“Don't Care”を示す。このようなフィルタ設定ＦＩＬを用いることにより、画像形成装置１０は、受信したネットワークパケットＰがユニキャストのパケットである場合でも、画像形成装置１０Ａ宛てのネットワークパケットＰおよび画像形成装置１０Ｂ宛てのネットワークパケットＰのうちのどちらを受信した場合でも、通常モードＭ１に復帰することができるようになっている。
【００６２】
この例では、２つの画像形成装置１０Ａ，１０Ｂがネットワークに接続されている例で説明したが、例えば３つの画像形成装置１０（画像形成装置１０Ａ，１０Ｂ，１０Ｃ）がネットワークに接続されている場合には、その３つの画像形成装置１０のうちのマスタとして動作する画像形成装置１０（例えば画像形成装置１０Ａ）の判定制御部３２が、管理情報ＭＮＧに基づいて３つのフィルタ情報Ａ３，Ｂ３，Ｃ３を生成することができる。図９において“○”で示したように、フィルタ情報Ａ３は、この例では、ＩＣＭＰ、Ｂｏｎｊｏｕｒ、ＳＮＭＰ、ＮＢＴ、ＤＨＣＰ、ＨＴＴＰ、ＨＴＴＰＳについての７つのフィルタ設定ＦＩＬを含み、フィルタ情報Ｂ３は、この例では、ＩＣＭＰ、Ｂｏｎｊｏｕｒ、ＳＮＭＰ、ＮＢＴ、ＤＨＣＰ、ＦＴＰ、Ｔｅｌｎｅｔについての７つのフィルタ設定ＦＩＬを含み、フィルタ情報Ｃ３は、この例では、ＩＣＭＰ、Ｂｏｎｊｏｕｒ、ＳＮＭＰ、ＮＢＴ、ＤＨＣＰ、ＬＰＲ、ＲＡＷについての７つのフィルタ設定ＦＩＬを含む。そして、マスタとして動作する画像形成装置１０Ａの判定制御部３２は、フィルタ情報Ａ３を画像形成装置１０Ａの記憶部２３にフィルタ情報ＩＮＦとして書き込む。また、画像形成装置１０Ａは、フィルタ情報Ｂ３を画像形成装置１０Ｂに送信するとともに、フィルタ情報Ｃ３を画像形成装置１０Ｃに送信する。画像形成装置１０Ｂの判定制御部３２は、このフィルタ情報Ｂ３を画像形成装置１０Ｂの記憶部２３にフィルタ情報ＩＮＦとして書き込み、画像形成装置１０Ｃの判定制御部３２は、このフィルタ情報Ｃ３を画像形成装置１０Ｃの記憶部２３にフィルタ情報ＩＮＦとして書き込むようになっている。
【００６３】
また、例えば６つの画像形成装置１０（画像形成装置１０Ａ〜１０Ｆ）がネットワークに接続されている場合には、その６つの画像形成装置１０のうちのマスタとして動作する画像形成装置１０（例えば画像形成装置１０Ａ）の判定制御部３２が、図９に示したように、管理情報ＭＮＧに基づいて６つのフィルタ情報Ａ６〜Ｆ６を生成することができる。そして、マスタとして動作する画像形成装置１０Ａの判定制御部３２は、フィルタ情報Ａ６を画像形成装置１０Ａの記憶部２３にフィルタ情報ＩＮＦとして書き込む。また、画像形成装置１０Ａは、フィルタ情報Ｂ６を画像形成装置１０Ｂに送信し、フィルタ情報Ｃ６を画像形成装置１０Ｃに送信し、フィルタ情報Ｄ６を画像形成装置１０Ｄに送信し、フィルタ情報Ｅ６を画像形成装置１０Ｅに送信し、フィルタ情報Ｆ６を画像形成装置１０Ｆに送信する。画像形成装置１０Ｂの判定制御部３２は、このフィルタ情報Ｂ６を画像形成装置１０Ｂの記憶部２３にフィルタ情報ＩＮＦとして書き込む。画像形成装置１０Ｃ〜１０Ｆについても同様である。
【００６４】
このように、画像形成システム１Ｂでは、画像形成装置１０Ａの判定制御部３２が、フィルタ情報Ａ２を画像形成装置１０Ａの記憶部２３にフィルタ情報ＩＮＦとして書き込み、画像形成装置１０Ｂの判定制御部３２が、フィルタ情報Ｂ２を画像形成装置１０Ｂの記憶部２３にフィルタ情報ＩＮＦとして書き込む。これにより、画像形成装置１０Ａ，１０Ｂのうちの少なくともいずれかは、省電力モードＭ２において、図６に示した１１種別のネットワークパケットＰのうちのいずれかを受信したときに、通常モードＭ１に復帰することができる。そして、そのネットワークパケットＰが、通常モードＭ１に復帰した画像形成装置１０宛てのパケットではない場合には、通常モードＭ１に復帰した画像形成装置１０が、そのネットワークパケットＰに含まれるＭＡＣアドレスを宛先として、例えばＩＣＭＰを用いてＰＩＮＧ要求を行うネットワークパケットＰを送信する。これにより、そのネットワークパケットＰを受信した画像形成装置１０は、通常モードＭ１に復帰することができるようになっている。
【００６５】
ここで、判定制御部３２は、本発明における「フィルタ情報生成部」の一具体例に対応する。無線通信部２０は、本発明における「通信部」の一具体例に対応する。送受信部２１は、本発明における「送受信部」の一具体例に対応する。判定部２２は、本発明における「判定部」の一具体例に対応する。電源制御部３１は、本発明における「電源制御部」の一具体例に対応する。画像形成部１２は、本発明における「画像形成部」の一具体例に対応する。通常モードＭ１は、本発明における「第１のモード」の一具体例に対応する。省電力モードＭ２は、本発明における「第２のモード」の一具体例に対応する。フィルタ情報Ａ２，Ｂ２は、本発明における「第１のフィルタ情報」および「第２のフィルタ情報」の一具体例に対応する。フィルタ設定ＦＩＬは、本発明における「フィルタ設定」の一具体例に対応する。
【００６６】
［動作および作用］
続いて、本実施の形態の画像形成装置１０の動作および作用について説明する。
【００６７】
（全体動作概要）
まず、図２を参照して、画像形成装置１０の全体動作概要を説明する。電源部１１のメイン電源部１１Ｍは、通常モードＭ１において、電源電力ＰＭを生成し、生成した電源電力ＰＭを制御部３０および画像形成部１２に供給する。サブ電源部１１Ｓは、通常モードＭ１および省電力モードＭ２の両方において、電源電力ＰＳを生成し、生成した電源電力ＰＳを無線通信部２０および制御部３０内の一部のブロック（電源制御部３１および判定制御部３２）に供給する。
【００６８】
無線通信部２０の送受信部２１は、無線ＬＡＮを用いて無線通信Ｗを行う。判定部２２は、省電力モードＭ２において、制御部３０から供給された指示に基づいて、判定動作を行う。そして、判定部２２は、送受信部２１が受信したネットワークパケットＰが、複数のフィルタ設定ＦＩＬのうちのいずれかに該当する場合に、割込信号ＳＩＧを生成し、生成した割込信号ＳＩＧを制御部３０に供給する。
【００６９】
制御部３０の電源制御部３１は、画像形成装置１０における電源モードＭを制御する。パケット送受信部３３は、通常モードＭ１において、無線通信部２０の送受信部２１との間でネットワークパケットＰのやりとりを行う。判定制御部３２は、制御インタフェースＣＩを介して、無線通信部２０における判定部２２の動作を制御する。画像形成制御部３４は、通常モードＭ１において、パケット送受信部３３から供給された印刷データＤＰに基づいて、所定の画像処理を行うとともに、この画像処理結果に基づいて画像形成部１２の動作を制御する。
【００７０】
画像形成部１２は、通常モードＭ１において、画像形成制御部３４からの指示に基づいて、記録媒体に画像を形成する。
【００７１】
（判定モードＮの設定動作について）
画像形成システム１では、１つの画像形成装置１０がネットワークに接続されている場合には、その画像形成装置１０の判定制御部３２は、判定モードＮを判定モードＮ１に設定する。また、複数の画像形成装置１０がネットワークに接続されている場合には、その複数の画像形成装置１０の判定制御部３２は、判定モードＮを判定モードＮ２に設定する。以下に、この動作について詳細に説明する。
【００７２】
図１１は、画像形成装置１０の電源が投入されたときの、この画像形成装置１０の一動作例を表すものである。以下、説明の便宜上、電源が投入された画像形成装置１０を画像形成装置１０Ｘとして説明を行う。
【００７３】
まず、画像形成装置１０Ｘの判定制御部３２は、ネットワークスキャンを行うことにより、管理情報ＭＮＧを生成する（ステップＳ１０１）。具体的には、画像形成装置１０Ｘは、プロトコルがＮＢＴであるネットワークパケットＰを用いて、ネットワークスキャンを行う。そして、画像形成装置１０Ｘの判定制御部３２は、このネットワークスキャンの結果に基づいて、管理情報ＭＮＧを生成する。
【００７４】
次に、画像形成装置１０Ｘの判定制御部３２は、管理情報ＭＮＧに基づいて、画像形成装置１０Ｘをネットワークに接続する前にすでにネットワークに接続された画像形成装置１０があるかどうかを確認する（ステップＳ１０２）。
【００７５】
ステップＳ１０２において、すでに接続された画像形成装置１０がない場合（ステップＳ１０２において“Ｎ”）には、画像形成装置１０Ｘの判定制御部３２は、判定モードＮを判定モードＮ１に設定する（ステップＳ１０３）。すなわち、この場合には、電源を投入した画像形成装置１０Ｘのみがネットワークに接続されるので、画像形成装置１０Ｘの判定制御部３２は、判定モードＮを判定モードＮ１に設定する。このとき、画像形成装置１０ＸのマスタフラグＭＦおよびスレーブフラグＳＦはともに“０”に設定される。
【００７６】
ステップＳ１０２において、すでにネットワークに接続された画像形成装置１０がある場合（ステップＳ１０２において“Ｙ”）には、画像形成装置１０Ｘの判定制御部３２は、判定モードＮを判定モードＮ２に設定する（ステップＳ１０４）。すなわち、この場合には、すでにネットワークに接続された画像形成装置１０に加え、画像形成装置１０Ｘが新たにネットワークに接続されるため、画像形成装置１０Ｘの判定制御部３２は、判定モードＮを判定モードＮ２に設定する。
【００７７】
次に、画像形成装置１０Ｘの判定制御部３２は、管理情報ＭＮＧに基づいて、マスタとして登録された画像形成装置１０があるかどうかを確認する（ステップＳ１０５）。具体的には、判定制御部３２は、管理情報ＭＮＧに基づいて、マスタフラグＭＦが“１”に設定された画像形成装置１０があるかどうかを確認する。
【００７８】
ステップＳ１０５において、マスタとして登録された画像形成装置１０がない場合（ステップＳ１０５において“Ｎ”）には、画像形成装置１０Ｘの判定制御部３２は、すでにネットワークに接続された画像形成装置１０に対して、その画像形成装置１０の管理情報ＭＮＧに、その画像形成装置１０をマスタとして登録するように依頼するとともに、その管理情報ＭＮＧに、画像形成装置１０Ｘをスレーブとして登録するように依頼する（ステップＳ１０６）。すなわち、この場合には、すでに１つの画像形成装置１０がネットワークに接続されているので、判定制御部３２は、この画像形成装置１０がマスタとして動作し画像形成装置１０Ｘがスレーブとして動作する旨の設定を、その画像形成装置１０の管理情報ＭＮＧに登録させる。なお、これに限定されるものではなく、これに代えて、例えば、すでにネットワークに接続された画像形成装置１０がスレーブとして動作し、画像形成装置１０Ｘがマスタとして動作するようにしてもよい。
【００７９】
そして、画像形成装置１０Ｘの判定制御部３２は、画像形成装置１０Ｘの管理情報ＭＮＧに、すでにネットワークに接続された画像形成装置１０をマスタとして登録するとともに、画像形成装置１０Ｘをスレーブとして登録する （ステップＳ１０７）。具体的には、判定制御部３２は、管理情報ＭＮＧにおける、すでにネットワークに接続された画像形成装置１０のマスタフラグＭＦを“１”に設定するとともにスレーブフラグＳＦを“０”に設定し、画像形成装置１０ＸのマスタフラグＭＦを“０”に設定するとともにスレーブフラグＳＦを“１”に設定する。これ以降、画像形成装置１０Ｘは、スレーブとして動作する。
【００８０】
ステップＳ１０５において、マスタとして登録された画像形成装置１０がある場合（ステップＳ１０５において“Ｙ”）には、画像形成装置１０Ｘの判定制御部３２は、マスタとして登録された画像形成装置１０に対して、その画像形成装置１０の管理情報ＭＮＧに、画像形成装置１０Ｘをスレーブとして登録するように依頼する（ステップＳ１０８）。すなわち、この場合には、すでに２つ以上の画像形成装置１０がネットワークに接続されているので、判定制御部３２は、画像形成装置１０Ｘがスレーブとして動作する旨の設定を、この２つ以上の画像形成装置１０のうちのマスタとして動作する画像形成装置１０の管理情報ＭＮＧに登録させる。
【００８１】
そして、画像形成装置１０Ｘの判定制御部３２は、画像形成装置１０Ｘの管理情報ＭＮＧに、画像形成装置１０Ｘをスレーブとして登録する（ステップＳ１０９）。具体的には、判定制御部３２は、管理情報ＭＮＧにおける、画像形成装置１０ＸのマスタフラグＭＦを“０”に設定するとともにスレーブフラグＳＦを“１”に設定する。これ以降、画像形成装置１０Ｘは、スレーブとして動作する。
【００８２】
以上で、このフローは終了する。
【００８３】
図１２は、ステップＳ１０６，Ｓ１０８において、画像形成装置１０Ｘから依頼された、マスタとして登録された画像形成装置１０の一動作例を表すものである。以下、説明の便宜上、マスタとして登録された画像形成装置１０を画像形成装置１０Ｙとして説明を行う。
【００８４】
まず、画像形成装置１０Ｙの判定制御部３２は、ステップＳ１０６，Ｓ１０８における、画像形成装置１０Ｘからの依頼に基づいて、判定モードＮを判定モードＮ２に設定する（ステップＳ１１１）。
【００８５】
次に、画像形成装置１０Ｙの判定制御部３２は、ネットワークスキャンを行うことにより、管理情報ＭＮＧを更新する（ステップＳ１１２）。これにより、判定制御部３２は、管理情報ＭＮＧにおける、画像形成装置１０ＹのマスタフラグＭＦを“１”に設定するとともにスレーブフラグＳＦを“０”に設定し、スレーブとして動作する画像形成装置１０のマスタフラグＭＦを“０”に設定するとともにスレーブフラグＳＦを“１”に設定する。これ以降、画像形成装置１０Ｙは、マスタとして動作する。
【００８６】
次に、画像形成装置１０Ｙの判定制御部３２は、管理情報ＭＮＧに基づいて、複数のフィルタ情報ＩＮＦを生成する（ステップＳ１１３）。具体的には、例えば、ネットワークに接続された画像形成装置１０が全部で２つである場合には、マスタとして動作する画像形成装置１０Ｙで使用すべきフィルタ情報ＩＮＦと、スレーブとして動作する画像形成装置１０で使用すべきフィルタ情報ＩＮＦとを生成する。複数のフィルタ情報ＩＮＦを生成する際、判定制御部３２は、例えば、管理情報ＭＮＧに基づいて、印刷頻度が高い画像形成装置１０に、ＬＰＲについてのフィルタ設定ＦＩＬを含むフィルタ情報ＩＮＦを割り当てるようにしてもよい。
【００８７】
次に、画像形成装置１０Ｙの判定制御部３２は、画像形成装置１０Ｙで使用すべきフィルタ情報ＩＮＦを、判定部２２の記憶部２３に書き込む（ステップＳ１１４）。
【００８８】
次に、画像形成装置１０Ｙは、スレーブとして動作する画像形成装置１０で使用すべきフィルタ情報ＩＮＦを、スレーブとして動作する画像形成装置１０に送信する （ステップＳ１１５）。このフィルタ情報ＩＮＦを受信した画像形成装置１０では、判定モードＮを判定モードＮ２に設定するとともに、このフィルタ情報ＩＮＦを、その画像形成装置１０の判定部２２の記憶部２３に書き込む。
【００８９】
以上で、このフローは終了する。
【００９０】
次に、判定モードＮの設定動作について、図１Ａに示した画像形成システム１Ａ、および図１Ｂに示した画像形成システム１Ｂを例に挙げて、具体的に説明する。
【００９１】
（画像形成システム１Ａにおける判定モードＮの設定動作について）
図１３は、図１Ａに示した画像形成システム１Ａにおける一動作例を表すものである。この例では、画像形成装置１０Ａの電源が投入され、この画像形成装置１０Ａがネットワークに接続される。そして、画像形成装置１０Ａが、判定モードＮを判定モードＮ１に設定する。以下に、この動作について詳細に説明する。
【００９２】
まず、画像形成装置１０Ａの電源が投入され、画像形成装置１０Ａが起動する（ステップＳ１２１）。
【００９３】
次に、画像形成装置１０Ａの判定制御部３２は、ネットワークスキャンを行うことにより、管理情報ＭＮＧを生成する（ステップＳ１２２，Ｓ１２３）。この動作は、図１３におけるステップＳ１０１に対応する。管理情報ＭＮＧは、画像形成装置１０Ａについての情報を含む。この管理情報ＭＮＧにおいて、画像形成装置１０ＡのマスタフラグＭＦおよびスレーブフラグＳＦは“０”に設定される。
【００９４】
画像形成装置１０Ａがネットワークに接続される前に、すでにネットワークに接続された画像形成装置１０はないので（ステップＳ１０２において“Ｎ”）、画像形成装置１０Ａの判定制御部３２は、判定モードＮを判定モードＮ１に設定する（ステップＳ１２４，Ｓ１０３）。
【００９５】
次に、画像形成装置１０Ａの判定制御部３２は、管理情報ＭＮＧに基づいて、画像形成装置１０Ａで使用すべきフィルタ情報Ａ１，Ｂ１を生成する（ステップＳ１２５）。
【００９６】
以上で、このシーケンスは終了する。
【００９７】
（画像形成システム１Ｂにおける判定モードＮの設定動作について）
図１４は、図１Ｂに示した画像形成システム１Ｂにおける一動作例を表すものである。この例では、まず、画像形成装置１０Ａがネットワークに接続されており、その後に、画像形成装置１０Ｂの電源が投入され、この画像形成装置１０Ｂがネットワークに接続される。これにより、画像形成装置１０Ａ，１０Ｂは、判定モードＮを判定モードＮ１に設定し、画像形成装置１０Ａがマスタとして動作し、画像形成装置１０Ｂがスレーブとして動作する。以下に、この動作について詳細に説明する。
【００９８】
まず、画像形成装置１０Ｂの電源が投入され、画像形成装置１０Ｂが起動する（ステップＳ１３１）。
【００９９】
次に、画像形成装置１０Ｂは、ネットワークスキャンを行うことにより、管理情報ＭＮＧを生成する（ステップＳ１３２，Ｓ１３３）。この動作は、図１３におけるステップＳ１０１に対応する。管理情報ＭＮＧは、画像形成装置１０Ａおよび画像形成装置１０Ｂについての情報を含む。この時点では、管理情報ＭＮＧにおいて、画像形成装置１０ＡのマスタフラグＭＦおよびスレーブフラグＳＦは“０”であり、同様に、画像形成装置１０ＢのマスタフラグＭＦおよびスレーブフラグＳＦは“０”である。
【０１００】
画像形成装置１０Ｂがネットワークに接続される前に、すでに画像形成装置１０Ａがネットワークに接続されているので（ステップＳ１０２において“Ｙ”）、画像形成装置１０Ｂは、判定モードＮを判定モードＮ２に設定する（ステップＳ１３４，Ｓ１０４）。
【０１０１】
マスタとして登録された画像形成装置１０はないので（ステップＳ１０５において“Ｎ”）、画像形成装置１０Ｂは、画像形成装置１０Ａに対して、画像形成装置１０Ａの管理情報ＭＮＧに、画像形成装置１０Ａをマスタとして登録するように依頼するとともに、この管理情報ＭＮＧに、画像形成装置１０Ｂをスレーブとして登録するように依頼する（ステップＳ１３５，Ｓ１０６）。
【０１０２】
次に、画像形成装置１０Ｂは、画像形成装置１０Ｂの管理情報ＭＮＧに、画像形成装置１０Ａをマスタとして登録し、画像形成装置１０Ｂをスレーブとして登録する（ステップＳ１３６，Ｓ１０７）。これにより、画像形成装置１０Ｂの管理情報ＭＮＧでは、図５に示したように、画像形成装置１０ＡのマスタフラグＭＦが“１”に設定されるとともにスレーブフラグＳＦが“０”に設定され、画像形成装置１０ＢのマスタフラグＭＦが“０”に設定されるとともにスレーブフラグＳＦが“１”に設定される。
【０１０３】
画像形成装置１０Ａは、ステップＳ１３５における画像形成装置１０Ａからの依頼に基づいて、判定モードＮを判定モードＮ２に設定する（ステップＳ１３７，Ｓ１１１）。
【０１０４】
次に、画像形成装置１０Ａは、ネットワークスキャンを行うことにより、管理情報ＭＮＧを更新する（ステップＳ１３８，Ｓ１３９，Ｓ１１２）。これにより、画像形成装置１０Ａの管理情報ＭＮＧでは、図５に示したように、画像形成装置１０ＡのマスタフラグＭＦが“１”に設定されるとともにスレーブフラグＳＦが“０”に設定され、画像形成装置１０ＢのマスタフラグＭＦが“０”に設定されるとともにスレーブフラグＳＦが“１”に設定される。
【０１０５】
次に、画像形成装置１０Ａは、管理情報ＭＮＧに基づいてフィルタ情報Ａ２，Ｂ２を生成する（ステップＳ１４０，Ｓ１１３）。この例では、図５に示したように、画像形成装置１０Ｂにおける印刷頻度は、画像形成装置１０Ａにおける印刷頻度よりも高い。よって、画像形成装置１０Ａは、図９に示したように、印刷頻度が高い画像形成装置１０Ｂに、ＬＰＲについてのフィルタ設定ＦＩＬを含むフィルタ情報Ｂ２を割り当てる。
【０１０６】
次に、画像形成装置１０Ａは、フィルタ情報Ａ２を判定部２２の記憶部２３に書き込む（ステップＳ１４１，Ｓ１１４）。
【０１０７】
次に、画像形成装置１０Ａは、フィルタ情報Ｂ２を画像形成装置１０Ｂに送信する（ステップＳ１４２，Ｓ１１５）。画像形成装置１０Ｂは、フィルタ情報Ｂ２を判定部２２の記憶部２３に書き込む（ステップＳ１４３）。
【０１０８】
以上でこのシーケンスは終了する。
【０１０９】
（省電力モードＭ２から通常モードＭ１への復帰動作について）
画像形成システム１では、画像形成装置１０は、ネットワークパケットＰに基づいて、電源モードＭを省電力モードＭ２から通常モードＭ１に遷移させる。以下に、この動作について詳細に説明する。
【０１１０】
図１５は、省電力モードＭ２で動作する画像形成装置１０の一動作例を表すものである。以下、説明の便宜上、この省電力モードＭ２で動作する画像形成装置１０を画像形成装置１０Ｚとして説明を行う。
【０１１１】
まず、画像形成装置１０Ｚの電源制御部３１は、判定部２２から割込信号ＳＩＧを受け取ったかどうかを確認する（ステップＳ１５１）。すなわち、画像形成装置１０Ｚの送受信部２１が受信したネットワークパケットＰが、記憶部２３に記憶されたフィルタ情報ＩＮＦに含まれる複数のフィルタ設定ＦＩＬのうちのいずれかに該当する場合には、画像形成装置１０Ｚの判定部２２は、割込信号ＳＩＧを生成し、生成した割込信号ＳＩＧを制御部３０に供給する。電源制御部３１が割込信号ＳＩＧを受け取っていない場合（ステップＳ１５１において“Ｎ”）には、ステップＳ１５１に戻る。
【０１１２】
ステップＳ１５１において、画像形成装置１０Ｚの電源制御部３１が割込信号ＳＩＧを受け取った場合（ステップＳ１５１において“Ｙ”）には、画像形成装置１０Ｚの電源制御部３１は、電源モードＭを省電力モードＭ２から通常モードＭ１に遷移させる（ステップＳ１５２）。これにより、パケット送受信部３３は動作を開始し、送受信部２１が受信したネットワークパケットＰを、送受信部２１から受け取る。
【０１１３】
次に、画像形成装置１０Ｚの判定制御部３２は、パケット送受信部３３が受け取ったネットワークパケットＰの宛先ＭＡＣアドレス（Ｄｓｔ＿ＭＡＣ）を確認する（ステップＳ１５３）。
【０１１４】
次に、画像形成装置１０Ｚの判定制御部３２は、このネットワークパケットＰが画像形成装置１０Ｚ宛てのパケットであるかどうかを確認する（ステップＳ１５４）。このネットワークパケットＰが画像形成装置１０Ｚ宛てのパケットである場合（ステップＳ１５４において“Ｙ”）には、画像形成装置１０Ｚは、そのネットワークパケットＰに基づいて動作を行う（ステップＳ１５５）。具体的には、例えば、ネットワークパケットＰが、ＬＰＲを用いて印刷要求を行うパケットである場合には、画像形成装置１０Ｚは、この印刷要求に基づいて、記録媒体に画像を形成する。そして、このフローは終了する。
【０１１５】
ステップＳ１５４において、ネットワークパケットＰが画像形成装置１０Ｚ宛てのパケットではない場合（ステップＳ１５４において“Ｎ”）には、パケット送受信部３３は、判定制御部３２からの指示に基づいて、ステップＳ１５３において確認したＭＡＣアドレスを有する画像形成装置１０に対してＰＩＮＧ要求を行うネットワークパケットＰを生成し、送受信部２１は、このネットワークパケットＰを送信する（ステップＳ１５６）。
【０１１６】
次に、パケット送受信部３３は、このＰＩＮＧ要求を行うネットワークパケットＰに対して応答があったかどうかを確認する（ステップＳ１５７）。応答があった場合（ステップＳ１５７において“Ｙ”）には、このフローは終了する。
【０１１７】
ステップＳ１５７において、ＰＩＮＧ要求を行うネットワークパケットＰに対して応答がなかった場合（ステップＳ１５７において“Ｎ”）には、このネットワークパケットＰの宛先である画像形成装置１０の電源がオフになっていると考えられる。よって、画像形成装置１０Ｚがマスタとして動作している場合には（ステップＳ１５８において“Ｙ”）、画像形成装置１０Ｚの判定制御部３２は、マスタ・スレーブの再構成を行う（ステップＳ１５９）。具体的には、画像形成装置１０Ｚの判定制御部３２は、図１２に示した例と同様に、ネットワークスキャンを行うことにより管理情報ＭＮＧを更新し、管理情報ＭＮＧに基づいて複数のフィルタ情報ＩＮＦを生成する。そして、画像形成装置１０Ｚの判定制御部３２は、画像形成装置１０Ｚで使用すべきフィルタ情報ＩＮＦを、判定部２２の記憶部２３に書き込む。そして、画像形成装置１０Ｚは、スレーブとして動作する画像形成装置１０で使用すべきフィルタ情報ＩＮＦを、スレーブとして動作する画像形成装置１０に送信する。スレーブとして動作する画像形成装置１０は、このフィルタ情報ＩＮＦを、判定部２２の記憶部２３に書き込む。
【０１１８】
画像形成装置１０Ｚがスレーブとして動作している場合（ステップＳ１５８において“Ｎ”）には、画像形成装置１０Ｚの判定制御部３２は、マスタとして動作している画像形成装置１０に対して、マスタ・スレーブの再構成を依頼する（ステップＳ１６０）。
【０１１９】
以上で、このフローは終了する。
【０１２０】
次に、省電力モードＭ２から通常モードＭ１への復帰動作について、図１Ａに示した画像形成システム１Ａ、および図１Ｂに示した画像形成システム１Ｂを例に挙げて、具体的に説明する。
【０１２１】
（画像形成システム１Ａにおける復帰動作について）
図１６は、図１Ａに示した画像形成システム１Ａにおける画像形成装置１０Ａの一動作例を表すものであり、（Ａ）は電源制御部３１の動作を示し、（Ｂ）は判定制御部３２の動作を示し、（Ｃ）はパケット送受信部３３の動作を示し、（Ｄ）は判定部２２の動作を示し、（Ｅ）は送受信部２１の動作を示し、（Ｆ）は無線ＬＡＮルータ９の動作を示す。この例では、画像形成装置１０Ａが省電力モードＭ２で動作している期間において、情報処理装置８が、ＬＰＲを用いて画像形成装置１０Ａに印刷要求を行うネットワークパケットＰを、無線ＬＡＮルータ９を介して画像形成装置１０Ａに対して送信する。画像形成装置１０Ａは、このネットワークパケットＰに基づいて、通常モードＭ１に復帰する。以下に、この動作について詳細に説明する。
【０１２２】
電源制御部３１が電源モードＭを通常モードＭ１から省電力モードＭ２に遷移させると、判定制御部３２は、判定部２２に対して判定動作を開始させるとともに、フィルタ情報Ａ１を、判定部２２の記憶部２３にフィルタ情報ＩＮＦとして書き込む（ステップＳ１１）。
【０１２３】
そして、所定の時間Ｔが経過すると、判定制御部３２は、フィルタ情報Ｂ１を、判定部２２の記憶部２３にフィルタ情報ＩＮＦとして書き込む（ステップＳ１２）。同様に、所定の時間Ｔが経過すると、判定制御部３２は、フィルタ情報Ａ１を、判定部２２の記憶部２３にフィルタ情報ＩＮＦとして書き込む（ステップＳ１３）。このように、判定制御部３２は、フィルタ情報Ａ１およびフィルタ情報Ｂ１を、記憶部２３に交互に繰り返しフィルタ情報ＩＮＦとして書き込む。
【０１２４】
そして、その後のあるタイミングで、判定制御部３２は、フィルタ情報Ａ１を、判定部２２の記憶部２３にフィルタ情報ＩＮＦとして書き込む（ステップＳ１４）。
【０１２５】
次に、無線ＬＡＮルータ９は、情報処理装置８から送信された、ＬＰＲを用いて印刷要求を行うネットワークパケットＰ（図１６におけるＳＹＮ）を、画像形成装置１０Ａに送信する（ステップＳ１５）。このネットワークパケットＰは、例えば図７に示したパケットである。送受信部２１は、このネットワークパケットＰを受信し、判定部２２は、このネットワークパケットＰが、フィルタ情報ＩＮＦ（この例ではフィルタ情報Ａ１）に含まれる複数のフィルタ設定ＦＩＬのうちのいずれかに該当するかどうかを判定する。図８Ａに示したように、フィルタ情報Ａ１は、ＬＰＲを用いた印刷要求に係るフィルタ設定ＦＩＬを含まない。よって、受信したネットワークパケットＰは、フィルタ情報Ａ１における複数のフィルタ設定ＦＩＬのいずれにも該当しないので、送受信部２１は、このネットワークパケットＰを破棄する。
【０１２６】
次に、ステップＳ１４に係るタイミングから所定の時間Ｔが経過すると、判定制御部３２は、フィルタ情報Ｂ１を、判定部２２の記憶部２３にフィルタ情報ＩＮＦとして書き込む（ステップＳ１６）。
【０１２７】
次に、無線ＬＡＮルータ９が、ステップＳ１５に係るタイミングから再送信間隔Ｔ１だけ隔てたタイミングで、ＬＰＲを用いて印刷要求を行うネットワークパケットＰ（ＳＹＮ）を再送信する（ステップＳ１７）。送受信部２１は、このネットワークパケットＰを受信し、判定部２２は、このネットワークパケットＰが、フィルタ情報ＩＮＦ（この例ではフィルタ情報Ｂ１）に含まれる複数のフィルタ設定ＦＩＬのうちのいずれかに該当するかどうかを判定する。図８Ｂに示したように、フィルタ情報Ｂ１は、ＬＰＲを用いた印刷要求に係るフィルタ設定ＦＩＬを含む。よって、送受信部２１は、このネットワークパケットＰを破棄せずに保持する。そして、判定部２２は、割込信号ＳＩＧを生成し、この割込信号ＳＩＧを電源制御部３１に供給する（ステップＳ１８）。電源制御部３１は、この割込信号ＳＩＧに基づいて、電源モードＭを省電力モードＭ２から通常モードＭ１に遷移させる。これにより、メイン電源部１１Ｍは、電源電力ＰＭの生成を開始し、例えば、パケット送受信部３３、画像形成制御部３４、および画像形成部１２は、この電源電力ＰＭに基づいて動作を開始する。
【０１２８】
そして、判定制御部３２は、判定部２２に対して判定動作を停止させる（ステップＳ１９）。そして、送受信部２１は、保持していたネットワークパケットＰ（ＳＹＮ）を、パケット送受信部３３に供給する（ステップＳ２０）。
【０１２９】
パケット送受信部３３は、このネットワークパケットＰ（ＳＹＮ）を解析することにより、ＬＰＲを用いた画像形成装置１０Ａに対する印刷要求であると判断する。そして、パケット送受信部３３は、このネットワークパケットＰに対して応答するネットワークパケットＰ（図１６におけるＡＣＫ）を生成し、このネットワークパケットＰを送受信部２１に供給する（ステップＳ２１）。そして、送受信部２１は、このネットワークパケットＰを無線ＬＡＮルータ９に送信する（ステップＳ２２）。
【０１３０】
その後、無線ＬＡＮルータ９は、このネットワークパケットＰ（ＡＣＫ）を情報処理装置８に送信する。情報処理装置８は、このネットワークパケットＰに基づいて、例えば複数のネットワークパケットＰを用いて、印刷データＤＰを、無線ＬＡＮルータ９を介して画像形成装置１０Ａに送信する。画像形成装置１０は、この印刷データＤＰに基づいて、記録媒体に画像を形成する。
【０１３１】
図１７は、図１Ａに示した画像形成システム１Ａにおける他の動作例を表すものである。この例では、判定制御部３２は、フィルタ情報Ｂ１を、判定部２２の記憶部２３にフィルタ情報ＩＮＦとして書き込む（ステップＳ１６）。そして、その後に、無線ＬＡＮルータ９は、情報処理装置８から送信された、ＬＰＲを用いて印刷要求を行うネットワークパケットＰ（ＳＹＮ）を、画像形成装置１０Ａに送信する（ステップＳ２５）。
【０１３２】
送受信部２１は、このネットワークパケットＰを受信し、判定部２２は、このネットワークパケットＰが、フィルタ情報ＩＮＦ（この例ではフィルタ情報Ｂ１）に含まれる複数のフィルタ設定ＦＩＬのうちのいずれかに該当するかどうかを判定する。図８Ｂに示したように、フィルタ情報Ｂ１は、ＬＰＲを用いた印刷要求に係るフィルタ設定ＦＩＬを含む。よって、送受信部２１は、このネットワークパケットＰを破棄せずに保持する。そして、判定部２２は、割込信号ＳＩＧを生成し、この割込信号ＳＩＧを電源制御部３１に供給する（ステップＳ１８）。電源制御部３１は、この割込信号ＳＩＧに基づいて、電源モードＭを省電力モードＭ２から通常モードＭ１に遷移させる。これにより、メイン電源部１１Ｍは、電源電力ＰＭの生成を開始し、例えば、パケット送受信部３３、画像形成制御部３４、および画像形成部１２は、この電源電力ＰＭに基づいて動作を開始する。これ以降の動作については、図１６の場合と同様である。
【０１３３】
なお、図１６，１７では、画像形成装置１０Ａは、ＬＰＲを用いて印刷要求を行うネットワークパケットＰを受信する例で説明したが、他の種別のネットワークパケットＰについても同様である。
【０１３４】
例えば、ＨＴＴＰ、ＨＴＴＰＳ、ＦＴＰについてのフィルタ設定ＦＩＬは、フィルタ情報Ａ１にのみ含まれ、Ｔｅｌｎｅｔ、ＬＰＲ、ＲＡＷについてのフィルタ設定ＦＩＬは、フィルタ情報Ｂ１にのみ含まれる。よって、画像形成装置１０Ａは、これらの種別のネットワークパケットＰを受信した場合には、図１６，１７に示したように、１つまたは２つのネットワークパケットＰに基づいて、通常モードＭ１に復帰することができる。
【０１３５】
また、ＩＣＭＰ、Ｂｏｎｊｏｕｒ、ＳＮＭＰ、ＮＢＴ、ＤＨＣＰについてのフィルタ設定ＦＩＬは、フィルタ情報Ａ１，Ｂ１の両方に含まれる。よって、画像形成装置１０Ａは、これらの種別のネットワークパケットＰを受信した場合には、１つのネットワークパケットＰに基づいて、通常モードＭ１に復帰することができる。
【０１３６】
（画像形成システム１Ｂにおける復帰動作について）
図１８は、図１Ｂに示した画像形成システム１Ｂにおける一動作例を表すものである。この例では、画像形成装置１０Ａがマスタとして動作し、画像形成装置１０Ｂがスレーブとして動作する。そして、画像形成装置１０Ａ，１０Ｂが省電力モードＭ２で動作している期間において、情報処理装置８が、ＬＰＲを用いて画像形成装置１０Ａに印刷要求を行うネットワークパケットＰを送信する。画像形成装置１０Ｂは、このネットワークパケットＰに基づいて、ＩＣＭＰを用いてＰＩＮＧ要求を行うネットワークパケットＰを生成し、このネットワークパケットＰを画像形成装置１０Ａに送信する。画像形成装置１０Ａは、このネットワークパケットＰに基づいて通常モードＭ１に復帰する。以下に、この動作について詳細に説明する。
【０１３７】
まず、情報処理装置８が印刷データＤＰを生成し、（ステップＳ１７１）、情報処理装置８が、ＬＰＲを用いて画像形成装置１０Ａに対して印刷要求を行うネットワークパケットＰ（ＳＹＮ）を送信する（ステップＳ１７２）。
【０１３８】
画像形成装置１０Ａは、情報処理装置８が送信したネットワークパケットＰを受信し、このネットワークパケットＰに基づいて判定動作を行う（ステップＳ１７３）。フィルタ情報Ａ２は、図９に示したように、ＬＰＲを用いた印刷要求に係るフィルタ設定ＦＩＬを含まないので、画像形成装置１０Ａの送受信部２１は、このネットワークパケットＰを破棄する（ステップＳ１７４）。
【０１３９】
画像形成装置１０Ｂは、情報処理装置８が送信したネットワークパケットＰを受信し、このネットワークパケットＰに基づいて判定動作を行う（ステップＳ１７５）。フィルタ情報Ｂ２は、図９に示したように、ＬＰＲを用いた印刷要求に係るフィルタ設定ＦＩＬを含むので、画像形成装置１０Ｂは、割込信号ＳＩＧを生成し、電源モードＭを省電力モードＭ２から通常モードＭ１に遷移させる（ステップＳ１７６）。このステップＳ１７６は、図１５におけるステップＳ１５２に対応する。
【０１４０】
次に、画像形成装置１０Ｂは、このネットワークパケットＰの宛先ＭＡＣアドレス（Ｄｓｔ＿ＭＡＣ）を確認する（ステップＳ１７７，Ｓ１５３）。この例では、ネットワークパケットＰは、画像形成装置１０Ａに印刷要求を行うパケットであるので、宛先ＭＡＣアドレスは、画像形成装置１０ＡのＭＡＣアドレスである。よって、このネットワークパケットＰは画像形成装置１０Ｂ宛てではないので（ステップＳ１５４において“Ｎ”）、 画像形成装置１０Ｂは、ステップＳ１５３において確認したＭＡＣアドレスを有する画像形成装置１０に対してＰＩＮＧ要求を行うネットワークパケットＰを生成し、このネットワークパケットＰを送信する（ステップＳ１７８，Ｓ１５６）。
【０１４１】
画像形成装置１０Ａは、画像形成装置１０Ｂが送信したネットワークパケットＰを受信し、このネットワークパケットＰに基づいて判定動作を行う（ステップＳ１７９）。フィルタ情報Ａ２は、図９に示したように、ＩＣＭＰを用いたＰＩＮＧ要求に係るフィルタ設定ＦＩＬを含むので、画像形成装置１０Ａは、割込信号ＳＩＧを生成し、電源モードＭを省電力モードＭ２から通常モードＭ１に遷移させる（ステップＳ１８０）。そして、画像形成装置１０Ａは、このネットワークパケットＰに対して応答するネットワークパケットＰ（ＡＣＫ）を、画像形成装置１０Ｂに対して送信する（ステップＳ１８１）。
【０１４２】
次に、情報処理装置８が、ＬＰＲを用いて画像形成装置１０Ａに印刷要求を行うネットワークパケットＰ（ＳＹＮ）を再送信する（ステップＳ１８２）。そして、画像形成装置１０Ａは、このネットワークパケットＰに対して応答するネットワークパケットＰ（ＡＣＫ）を、情報処理装置８に対して送信する（ステップＳ１８３）。そして、情報処理装置８は、印刷データＤＰを画像形成装置１０Ａに対して送信し（ステップＳ１８４）、画像形成装置１０Ａは、この印刷データＤＰに基づいて記録媒体に画像を形成する（ステップＳ１８５）。
【０１４３】
以上で、このシーケンスは終了する。
【０１４４】
図１９は、図１Ｂに示した画像形成システム１Ｂにおける他の動作例を表すものである。この例では、情報処理装置８が、ＬＰＲを用いて画像形成装置１０Ｂに印刷要求を行うネットワークパケットＰを送信する。画像形成装置１０Ｂは、このネットワークパケットＰに基づいて通常モードＭ１に復帰する。以下に、この動作について詳細に説明する。
【０１４５】
図１８の例と同様に、まず、情報処理装置８が印刷データＤＰを生成し、（ステップＳ１９１）、情報処理装置８が、ＬＰＲを用いて画像形成装置１０Ａに対して印刷要求を行うネットワークパケットＰ（ＳＹＮ）を送信する（ステップＳ１９２）。
【０１４６】
画像形成装置１０Ａは、情報処理装置８が送信したネットワークパケットＰを受信し、このネットワークパケットＰに基づいて判定動作を行う（ステップＳ１９３）。フィルタ情報Ａ２は、図９に示したように、ＬＰＲを用いた印刷要求に係るフィルタ設定ＦＩＬを含まないので、画像形成装置１０Ａの送受信部２１は、このネットワークパケットＰを破棄する（ステップＳ１９４）。
【０１４７】
画像形成装置１０Ｂは、情報処理装置８が送信したネットワークパケットＰを受信し、このネットワークパケットＰに基づいて判定動作を行う（ステップＳ１９５）。フィルタ情報Ｂ２は、図９に示したように、ＬＰＲを用いた印刷要求に係るフィルタ設定ＦＩＬを含むので、画像形成装置１０Ｂは、割込信号ＳＩＧを生成し、電源モードＭを省電力モードＭ２から通常モードＭ１に遷移させる（ステップＳ１９６）。
【０１４８】
次に、画像形成装置１０Ｂは、このネットワークパケットＰの宛先ＭＡＣアドレス（Ｄｓｔ＿ＭＡＣ）を確認する（ステップＳ１９７，Ｓ１５３）。この例では、ネットワークパケットＰは、画像形成装置１０Ｂに印刷要求を行うパケットであるので、宛先ＭＡＣアドレスは、画像形成装置１０ＢのＭＡＣアドレスである。よって、このネットワークパケットＰは画像形成装置１０Ｂ宛てであるので（ステップＳ１５４において“Ｙ”）、 画像形成装置１０Ｂは、このネットワークパケットＰに対して応答するネットワークパケットＰ（ＡＣＫ）を、情報処理装置８に対して送信する（ステップＳ１９８）。そして、情報処理装置８は、印刷データＤＰを画像形成装置１０Ｂに対して送信し（ステップＳ１９９）、画像形成装置１０Ｂは、この印刷データＤＰに基づいて記録媒体に画像を形成する（ステップＳ２００）。
【０１４９】
以上で、このシーケンスは終了する。
【０１５０】
なお、図１８，１９では、画像形成装置１０が、ＬＰＲを用いて印刷要求を行うネットワークパケットＰを受信する例で説明したが、他の種別のネットワークパケットＰについても同様である。
【０１５１】
例えば、Ｔｅｌｎｅｔ、ＬＰＲ、ＲＡＷについてのフィルタ設定ＦＩＬは、フィルタ情報Ｂ２にのみ含まれる。よって、画像形成装置１０Ｂは、これらの種別の画像形成装置１０Ｂ宛てのネットワークパケットＰが送信された場合には、図１９に示したように、１つのネットワークパケットＰ（ステップＳ１９２）に基づいて、通常モードＭ１に復帰することができる。また、画像形成装置１０Ａは、これらの種別の画像形成装置１０Ａ宛てのネットワークパケットＰが送信された場合には、図１８に示したように、２つのネットワークパケットＰ（ステップＳ１７２，Ｓ１８３）に基づいて、通常モードＭ１に復帰することができる。
【０１５２】
また、例えば、ＨＴＴＰ、ＨＴＴＰＳ、ＦＴＰについてのフィルタ設定ＦＩＬは、フィルタ情報Ａ２にのみ含まれる。よって、画像形成装置１０Ａは、これらの種別の画像形成装置１０Ａ宛てのネットワークパケットＰが送信された場合には、１つのネットワークパケットＰに基づいて、通常モードＭ１に復帰することができる。また、画像形成装置１０Ｂは、これらの種別の画像形成装置１０Ｂ宛てのネットワークパケットＰが送信された場合には、２つのネットワークパケットＰに基づいて、通常モードＭ１に復帰することができる。
【０１５３】
また、ＩＣＭＰ、Ｂｏｎｊｏｕｒ、ＳＮＭＰ、ＮＢＴ、ＤＨＣＰについてのフィルタ設定ＦＩＬは、フィルタ情報Ａ２，Ｂ２の両方に含まれる。よって、画像形成装置１０Ａ，１０Ｂは、これらの種別のネットワークパケットＰを受信した場合には、１つのネットワークパケットＰに基づいて、通常モードＭ１に復帰することができる。
【０１５４】
（電源オフに伴うマスタ・スレーブの再構成について）
図２０は、画像形成装置１０の電源がオフにされたときの、この画像形成装置１０の一動作例を表すものである。以下、説明の便宜上、電源がオフにされた画像形成装置１０を画像形成装置１０Ｗとして説明を行う。
【０１５５】
まず、画像形成装置１０Ｗの判定制御部３２は、管理情報ＭＮＧに基づいて、画像形成装置１０Ｗがマスタ・スレーブのどちらとしても登録されていないかどうかを確認する（ステップＳ２１１）。具体的には、判定制御部３２は、管理情報ＭＮＧに基づいて、画像形成装置１０ＷのマスタフラグＭＦおよびスレーブフラグＳＦのどちらも“０”に設定されているかどうかを確認する。
【０１５６】
ステップＳ２１１において、画像形成装置１０Ｗがマスタ・スレーブのどちらとしても登録されていない場合（ステップＳ２１１において“Ｙ”）には、このフローは終了する。この場合には、画像形成装置１０Ｗの電源がオフになることにより、ネットワークに接続された画像形成装置１０はなくなる。
【０１５７】
ステップＳ２１１において、画像形成装置１０Ｗがマスタ・スレーブのどちらかとして登録されている場合（ステップＳ２１１において“Ｎ”）には、画像形成装置１０Ｗの判定制御部３２は、管理情報ＭＮＧに基づいて、画像形成装置１０Ｗがマスタとして登録されているかどうかを確認する（ステップＳ２１２）。
【０１５８】
ステップＳ２１２において、管理情報ＭＮＧに、画像形成装置１０Ｗがスレーブとして登録されている場合（ステップＳ２１２において“Ｎ”）には、画像形成装置１０Ｗの判定制御部３２は、マスタとして登録された画像形成装置１０に対して、マスタとして登録された画像形成装置１０の管理情報ＭＮＧから、画像形成装置１０Ｗについての情報を削除するように依頼する（ステップＳ２１３）。マスタとして登録された画像形成装置１０は、この依頼に基づいて、管理情報ＭＮＧから、画像形成装置１０Ｗについての情報を削除する。
【０１５９】
ステップＳ２１２において、管理情報ＭＮＧに、画像形成装置１０Ｗがマスタとして登録されている場合（ステップＳ２１２において“Ｎ”）には、画像形成装置１０Ｗの判定制御部３２は、管理情報ＭＮＧに基づいて、複数の画像形成装置１０がスレーブとして登録されているかどうかを確認する（ステップＳ２１４）
【０１６０】
ステップＳ２１４において、１つの画像形成装置１０がスレーブとして登録されている場合（ステップＳ２１４において“Ｎ”）には、画像形成装置１０Ｗの判定制御部３２は、その画像形成装置１０に対して、その画像形成装置１０の管理情報ＭＮＧから、画像形成装置１０Ｗについての情報を削除するように依頼するとともに、この管理情報ＭＮＧにおける、その画像形成装置１０のスレーブとしての登録を解除するように依頼する（ステップＳ２１５）。 すなわち、この場合には、画像形成装置１０Ｗの電源がオフになることにより、ネットワークに接続された画像形成装置１０は１つになるので、判定制御部３２は、この画像形成装置１０がマスタとしてもスレーブとしても動作しないように設定する。
【０１６１】
ステップＳ２１４において、複数の画像形成装置１０がスレーブとして登録されている場合（ステップＳ２１４において“Ｙ”）には、画像形成装置１０Ｗの判定制御部３２は、スレーブとして登録された複数の画像形成装置１０のうちの１つを、マスタとして動作する画像形成装置１０として選択する（ステップＳ２１６）。すなわち、この場合には、マスタとして動作する画像形成装置１０Ｗの電源がオフになることにより、マスタとして動作する画像形成装置１０がなくなるので、判定制御部３２は、スレーブとして登録された複数の画像形成装置１０のうちの１つをマスタとして動作させるように設定する。
【０１６２】
そして、画像形成装置１０Ｗの判定制御部３２は、選択された画像形成装置１０に対して、選択された画像形成装置１０の管理情報ＭＮＧから、画像形成装置１０Ｗについての情報を削除するように依頼するとともに、この管理情報ＭＮＧにおいて、その画像形成装置１０をマスタとして登録するように依頼する（ステップＳ２１７）。依頼された画像形成装置１０は、マスタとして動作し、この画像形成装置１０の判定制御部３２は、管理情報ＭＮＧに基づいて複数のフィルタ情報ＩＮＦを生成する。そして、この判定制御部３２は、マスタとして動作する画像形成装置１０で使用すべきフィルタ情報ＩＮＦを、判定部２２の記憶部２３に書き込む。そして、この画像形成装置１０は、スレーブとして動作する画像形成装置１０で使用すべきフィルタ情報ＩＮＦを、スレーブとして動作する画像形成装置１０に送信する。スレーブとして動作する画像形成装置１０は、このフィルタ情報ＩＮＦを、判定部２２の記憶部２３に書き込む。
【０１６３】
以上で、このフローは終了する。
【０１６４】
このように、画像形成システム１では、複数の画像形成装置１０がネットワークに接続されている場合に、複数の画像形成装置１０の記憶部２３に、互いに異なる複数のフィルタ情報ＩＮＦをそれぞれ書き込むようにした。具体的には、この例では、画像形成装置１０Ａの記憶部２３にフィルタ情報Ａ２をフィルタ情報ＩＮＦとして書き込み、画像形成装置１０Ｂの記憶部２３にフィルタ情報Ｂ２をフィルタ情報ＩＮＦとして書き込むようにした。これにより、省電力モードＭ２において、画像形成装置１０Ａは、固定されたフィルタ情報ＩＮＦ（フィルタ情報Ａ２）に基づいて判定動作を行い、画像形成装置１０Ｂは、固定されたフィルタ情報ＩＮＦ（フィルタ情報Ｂ２）に基づいて判定動作を行うことができる。これにより、画像形成システム１では、例えば、判定モードＮ１の場合とは異なり、省電力モードＭ２において、記憶部２３にフィルタ情報ＩＮＦを繰り返し書き込む必要がないので、消費電力を低減することができる。
【０１６５】
また、画像形成システム１では、複数の画像形成装置１０がネットワークに接続されている場合に、管理情報ＭＮＧに基づいて、複数のフィルタ情報ＩＮＦを生成するようにした。例えば、画像形成システム１では、管理情報ＭＮＧに基づいて、印刷頻度が高い画像形成装置１０（この例では画像形成装置１０Ｂ）に、ＬＰＲについてのフィルタ設定ＦＩＬを含むフィルタ情報ＩＮＦを割り当てるようにした。これにより、ＬＰＲを用いて画像形成装置１０Ｂ宛ての印刷要求を行うネットワークパケットＰが送信された場合に、画像形成装置１０Ｂは、１つのネットワークパケットＰに基づいて、通常モードＭ１に復帰することができる。これにより、画像形成システム１では、ネットワークパケットＰの再送信回数を少なくすることができ、ネットワークパケットＰを最初に受信してから、短い時間で通常モードＭ１に復帰することができる。
【０１６６】
［効果］
以上のように本実施の形態では、複数の画像形成装置の記憶部に、互いに異なる複数のフィルタ情報をそれぞれ書き込むようにしたので、省電力モードにおいて、消費電力を低減することができる。
【０１６７】
以上、実施の形態を挙げて本技術を説明したが、本技術はこれらの実施の形態等には限定されず、種々の変形が可能である。
【０１６８】
例えば、上記の実施の形態では、本技術を無線ＬＡＮに適用したが、これに限定されるものではなく、これに代えて、例えば有線ＬＡＮに適用してもよい。
【０１６９】
例えば、上記の実施の形態では、画像形成装置１０は、ネットワークスキャンを行うことにより、管理情報ＭＮＧを生成したが、これに限定されるものではなく、これに代えて、例えばユーザが管理情報ＭＮＧを設定してもよい。
【０１７０】
例えば、上記の実施の形態では、本技術を単機能のプリンタに適用したが、これに限定されるものではなく、これに代えて、例えば、コピー機能、ファックス機能、スキャン機能、プリント機能などを有する、いわゆる多機能周辺装置（ＭＦＰ；Multi  Function Peripheral）に適用してもよい。
【０１７１】
例えば、上記の実施の形態では、画像形成装置１０は、マスタとして動作する画像形成装置１０を変更できるようにしたが、これに限定されるものではなく、例えば、ユーザによる運用上、常に電源がオン状態に維持される画像形成装置を、マスタとして動作させるようにしてもよい。具体的には、常に電源がオン状態に維持される画像形成装置が多機能周辺装置である場合には、この多機能周辺装置を、マスタとして動作させるようにしてもよい。
【０１７２】
例えば、上記の実施の形態において、図６に示した、通常モードＭ１に復帰するトリガとなるネットワークパケットＰは、一例であり、他の種別のネットワークパケットＰであってもよい。
【符号の説明】
【０１７３】
１，１Ａ，１Ｂ…画像形成システム、１０，１０Ａ，１０Ｂ…画像形成装置、８…情報処理装置、９…無線ＬＡＮルータ、１１…電源部、１１Ｍ…メイン電源部、１１Ｓ…サブ電源部、１２…画像形成部、２０…無線通信部、２１…送受信部、２２…判定部、２３…記憶部、３０…制御部、３１…電源制御部、３２…判定制御部、３３…パケット送受信部、３４…画像形成制御部、Ａ１，Ｂ１，Ａ２，Ｂ２，Ａ３，Ｂ３，Ｃ３，Ａ６，Ｂ６，Ｃ６，Ｄ６，Ｅ６，Ｆ６…フィルタ情報、ＣＩ…制御インタフェース、ＣＴＬ…電源制御信号、ＤＩ…データインタフェース、ＦＩＬ…フィルタ設定、ＩＮＦ…フィルタ情報、Ｍ…電源モード、Ｍ１…通常モード、Ｍ２…省電力モード、ＭＮＧ…管理情報、Ｎ，Ｎ１，Ｎ２…判定モード、Ｐ…ネットワークパケット、ＰＭ，ＰＳ…電源電力、Ｗ…無線通信。
【図１Ａ】
2020082546.tif 000003
【図１Ｂ】
2020082546.tif 000004
【図２】
2020082546.tif 000005
【図３】
2020082546.tif 000006
【図４】
2020082546.tif 000007
【図５】
2020082546.tif 000008
【図６】
2020082546.tif 000009
【図７】
2020082546.tif 000010
【図８Ａ】
2020082546.tif 000011
【図８Ｂ】
2020082546.tif 000012
【図９】
2020082546.tif 000013
【図１０】
2020082546.tif 000014
【図１１】
2020082546.tif 000015
【図１２】
2020082546.tif 000016
【図１３】
2020082546.tif 000017
【図１４】
2020082546.tif 000018
【図１５】
2020082546.tif 000019
【図１６】
2020082546.tif 000020
【図１７】
2020082546.tif 000021
【図１８】
2020082546.tif 000022
【図１９】
2020082546.tif 000023
【図２０】
2020082546.tif 000024